(57)【特許請求の範囲】
【請求項１】
Ｘ線を照射するＸ線管と、照射されたＸ線を検出するＸ線検出器とを備えたＸ線装置であって、
使用可能なＸ線検出器を検出するＸ線検出器検出手段と、
検査オーダ情報に基づいて選択の対象となるＸ線検出器を選定するＸ線検出器選定手段と
を備え、
当該Ｘ線検出器検出手段で検出されたＸ線検出器のうちＸ線検出器選定手段で選定されたＸ線検出器を選択し、
前記検査オーダ情報は検査に必要なＸ線検出器サイズであって、前記Ｘ線検出器選定手段は、当該Ｘ線検出器サイズに基づいてＸ線検出器を選定するものであり、
前記Ｘ線検出器サイズと同じサイズのＸ線検出器が使用可能である場合には、当該同じサイズのＸ線検出器を選択し、
前記Ｘ線検出器サイズと同じサイズのＸ線検出器が使用可能でなく、かつ前記Ｘ線検出器サイズよりも大きなサイズのＸ線検出器が使用可能である場合には、該当する大きなサイズのＸ線検出器の中から最も小さいサイズのＸ線検出器を選択する
第３Ｘ線検出器選択手段を備えることを特徴とするＸ線装置。
【請求項２】
請求項１に記載のＸ線装置において、
前記Ｘ線検出器検出手段で検出されたＸ線検出器のうち前記Ｘ線検出器選定手段により当該同じサイズのＸ線検出器が１つであった場合には、該当するＸ線検出器を選択する第１Ｘ線検出器選択手段を備えることを特徴とするＸ線装置。
【請求項３】
請求項１に記載のＸ線装置において、
Ｘ線検出器を使用する優先順位を設定する優先順位設定手段と、
当該優先順位設定手段で設定された優先順位に応じてＸ線検出器を選択する第２Ｘ線検出器選択手段と
を備え、
前記Ｘ線検出器検出手段で検出されたＸ線検出器のうち当該同じサイズのＸ線検出器が複数存在する場合には、前記第２Ｘ線検出器選択手段は、複数に該当するＸ線検出器の中から前記優先順位設定手段で設定された優先順位が最も高いＸ線検出器を選択する
ことを特徴とするＸ線装置。
【請求項４】
請求項１に記載のＸ線装置において、
前記Ｘ線検出器サイズと同じサイズのＸ線検出器が使用可能でなく、前記Ｘ線検出器サイズよりも大きなサイズのＸ線検出器が使用可能でなく、かつ前記Ｘ線検出器サイズよりも小さなサイズのＸ線検出器が使用可能である場合には、前記第３Ｘ線検出器選択手段は、該当する小さなサイズのＸ線検出器の中から最も大きいサイズのＸ線検出器を選択することを特徴とするＸ線装置。
【請求項５】
請求項１に記載のＸ線装置において、
前記検査オーダ情報は、前記Ｘ線検出器サイズの他に、Ｘ線検出器の感度であって、前記Ｘ線検出器検出手段で検出されたＸ線検出器のうち前記Ｘ線検出器選定手段は、当該Ｘ線検出器サイズに基づいてＸ線検出器を選定し、
使用可能なＸ線検出器に基づいて、該当するＸ線検出器の中から前記感度が最も高いＸ線検出器を選択する
ことを特徴とするＸ線装置。
【請求項６】
請求項５に記載のＸ線装置において、
使用可能な前記感度が最も高いＸ線検出器が１つであった場合には、該当するＸ線検出器を選択する第１Ｘ線検出器選択手段を備えることを特徴とするＸ線装置。
【請求項７】
請求項５に記載のＸ線装置において、
Ｘ線検出器を使用する優先順位を設定する優先順位設定手段と、
当該優先順位設定手段で設定された優先順位に応じてＸ線検出器を選択する第２Ｘ線検出器選択手段と
を備え、
使用可能な前記感度が最も高いＸ線検出器が複数存在する場合には、前記第２Ｘ線検出器選択手段は、複数に該当するＸ線検出器の中から前記優先順位設定手段で設定された優先順位が最も高いＸ線検出器を選択する
ことを特徴とするＸ線装置。
【請求項８】
請求項５から請求項７のいずれかに記載のＸ線装置において、
前記Ｘ線検出器サイズと同じサイズのＸ線検出器が使用可能である場合には、当該同じサイズのＸ線検出器を選択し、
前記Ｘ線検出器サイズと同じサイズのＸ線検出器が使用可能でなく、かつ前記Ｘ線検出器サイズよりも大きなサイズのＸ線検出器が使用可能である場合には、該当する大きなサイズのＸ線検出器の中から最も小さいサイズのＸ線検出器を選択する
第３Ｘ線検出器選択手段を備え、
当該第３Ｘ線検出器選択手段で選択された最も小さいサイズのＸ線検出器のうち使用可能なＸ線検出器に基づいて、該当するＸ線検出器の中から前記感度が最も高いＸ線検出器を選択することを特徴とするＸ線装置。
【請求項９】
請求項８に記載のＸ線装置において、
前記Ｘ線検出器サイズと同じサイズのＸ線検出器が使用可能でなく、前記Ｘ線検出器サイズよりも大きなサイズのＸ線検出器が使用可能でなく、かつ前記Ｘ線検出器サイズよりも小さなサイズのＸ線検出器が使用可能である場合には、前記第３Ｘ線検出器選択手段は、該当する小さなサイズのＸ線検出器の中から最も大きいサイズのＸ線検出器を選択し、
当該第３Ｘ線検出器選択手段で選択された最も大きいサイズのＸ線検出器のうち使用可能なＸ線検出器に基づいて、該当するＸ線検出器の中から前記感度が最も高いＸ線検出器を選択することを特徴とするＸ線装置。
【請求項１０】
請求項１から請求項９のいずれかに記載のＸ線装置において、
使用可能なＸ線検出器として検出されていた当該Ｘ線検出器を使用可能でない状態に変更設定する第２変更設定手段を備え、
当該第２変更設定手段で使用可能でない状態に変更設定されると、前記Ｘ線検出器検出手段で検出された使用可能なＸ線検出器のうち前記Ｘ線検出器選定手段による選定を再度に行いＸ線検出器の選択を再度に行うことを特徴とするＸ線装置。
【請求項１１】
請求項１から請求項１０のいずれかに記載のＸ線装置を制御する制御方法であって、
使用可能なＸ線検出器を検出するＸ線検出器検出工程と、
検査オーダ情報に基づいて選択の対象となるＸ線検出器を選定するＸ線検出器選定工程と
を備え、
当該Ｘ線検出器検出工程で検出されたＸ線検出器のうちＸ線検出器選定工程で選定されたＸ線検出器を選択することを特徴とする制御方法。
【請求項１２】
請求項１から請求項１０のいずれかに記載のＸ線装置を制御する一連の処理をコンピュータに実行させるための制御プログラムであって、
使用可能なＸ線検出器を検出するＸ線検出器検出工程と、
検査オーダ情報に基づいて選択の対象となるＸ線検出器を選定するＸ線検出器選定工程と
を備え、
当該Ｘ線検出器検出工程で検出されたＸ線検出器のうちＸ線検出器選定工程で選定されたＸ線検出器を選択し、
これらの工程での処理をコンピュータに実行させることを特徴とする制御プログラム。
【発明の詳細な説明】
【技術分野】
【０００１】
この発明は、Ｘ線を照射するＸ線管と、照射されたＸ線を検出するＸ線検出器とを備えたＸ線装置、それを制御する制御装置および制御方法、並びに制御プログラムに関する。
【背景技術】
【０００２】
Ｘ線装置における検査として撮影を例に採って説明する。Ｘ線管と複数のＸ線検出器とＸ線検出器を制御するコンソールとを備えたＸ線撮影装置において、撮影オーダ情報に基づいた撮影を実施する際に、複数のＸ線検出器の中から撮影時に使用するＸ線検出器を選択して指定する必要がある。撮影オーダ情報としては、例えば被検体のサイズ、撮影の対象となる関心領域のサイズ、関心領域の部位（撮影部位）、撮影部位をどの方向から撮影する術式（例えば胸部正面や胸部側面）、Ｘ線検出器の感度などがある。
【０００３】
Ｘ線検出器の指定については、撮影前に操作者が使用可能なＸ線検出器の中から明示的に選択する方法（前者の方法）もあれば、撮影オーダ情報とＸ線検出器固有の情報（以下、「検出器ＩＤ」と称す）とを予め関連付けて、撮影時にコンソールで選択された撮影オーダ情報に関連付けられた検出器ＩＤに基づいて使用するＸ線検出器を指定する方法（後者の方法）がある。
【０００４】
後者の方法の場合、例えば胸部や腹部のような通常の撮影部位に関する撮影オーダには大型のＸ線検出器を関連付け、四肢や小児用の撮影オーダには小型のＸ線検出器を関連付けることで、撮影前に使用するＸ線検出器を手動で切り替える操作を必要とすることなく、撮影部位に応じた最適なサイズのＸ線検出器を使用した撮影が可能となる。なお、Ｘ線検出器としては、近年、コンソールとの通信が可能なデジタルＸ線検出器が用いられ、デジタルＸ線検出器として、フラットパネル型Ｘ線検出器（FPD: Flat Panel Detector）が用いられる。
【０００５】
前者や後者の方法以外には、立位撮影スタンドや臥位撮影テーブルを利用した撮影においては、それぞれのスタンドやテーブルに据え付けられているブッキー装置にフラットパネル型Ｘ線検出器（以下、「ＦＰＤ」と略記する）が格納された際に、ブッキー装置が当該ＦＰＤの検出器ＩＤを検出し、当該ＦＰＤを使用するＸ線検出器として自動的に指定する方法もある（例えば、特許文献１参照）。
【０００６】
また、ワイヤレス通信可能（無線通信可能）なＸ線撮影装置において、撮影オーダ情報（空間分解能や関心領域のサイズなど）に基づいて複数のＸ線検出器から該当するＸ線検出器を選択して使用することが開示されている（例えば、特許文献２参照）。特に、特許文献２：特開２００２−１９１５８６号公報の段落番号「００１６」には四肢等の撮影のために別に薄型Ｘ線検出器が配置されることが開示されている。
【先行技術文献】
【特許文献】
【０００７】
【特許文献１】特開２０１２−１０５８９５号公報
【特許文献２】特開２００２−１９１５８６号公報
【発明の概要】
【発明が解決しようとする課題】
【０００８】
しかしながら、このような構成を有する従来例の場合には、次のような問題がある。
すなわち、例えば特許文献１：特開２０１２−１０５８９５号公報のように撮影オーダ情報と検出器ＩＤとを予め関連付ける場合、関連付けられる検出器ＩＤは、当該Ｘ線撮影装置上で使用されることが想定されるＸ線検出器を関連付けることになる。
【０００９】
一方、ＦＰＤなどに代表されるＸ線検出器は可搬型で、特許文献２：特開２００２−１９１５８６号公報のような無線通信可能なものが一般的になってきており、ある１つのＸ線検出器を複数のＸ線撮影装置で共有する使い方が可能になってきている。上記の使い方を行う場合、ある１つのＸ線検出器は複数のＸ線撮影装置で同時に使用できず、１つのＸ線撮影装置でのみしか使用できない。したがって、当該Ｘ線検出器を使用中のＸ線撮影装置以外のＸ線撮影装置からは当該Ｘ線検出器を使用することができない。そのために、上記のようなＸ線検出器を使用するＸ線撮影装置では使用可能なＸ線検出器が状況によって異なる場合がある。
【００１０】
このように複数のＸ線撮影装置でＸ線検出器を共有する場合などでは、関連付けられたＸ線検出器が他のＸ線撮影装置で使用して、関連付けを行ったＸ線撮影装置で使用可能でない状況が発生する場合がある。このような状況のように実際に撮影を行うタイミングにおいて必ずしも使用可能とは限らない。
【００１１】
また、ブッキー装置を利用しない撮影方法（一般撮影術式での撮影）の場合、および回診装置のようなブッキー装置がそもそも存在しない撮影装置における撮影の場合、上述したブッキー装置に格納されたＸ線検出器を自動的に選択することができない。その他には、使用可能なＸ線検出器の中で最も大きなサイズのＸ線検出器が常に自動的に選択されるようにすれば、撮影に必要なＸ線検出器の範囲（撮影部位の領域の範囲）をカバーすることができる。しかし、技術の進歩によりＸ線検出器の軽量化が進んでいるとは言え、数ｋｇ程度の重量があるＸ線検出器が多く、小柄な技師や女性技師が撮影を行う場合などには極力小型のＸ線検出器を利用したいというニーズもある。
【００１２】
この発明は、このような事情に鑑みてなされたものであって、検査を実施するタイミングで使用可能なＸ線検出器が動的に変化する可能性がある場合において、使用可能なＸ線検出器の中から目的に合ったＸ線検出器を自動的に選択することができるＸ線装置、それを制御する制御装置および制御方法、並びに制御プログラムを提供することを目的とする。
【課題を解決するための手段】
【００１３】
この発明は、このような目的を達成するために、次のような構成をとる。
すなわち、この発明に係るＸ線装置は、Ｘ線を照射するＸ線管と、照射されたＸ線を検出するＸ線検出器とを備えたＸ線装置であって、使用可能なＸ線検出器を検出するＸ線検出器検出手段と、検査オーダ情報に基づいて選択の対象となるＸ線検出器を選定するＸ線検出器選定手段とを備え、当該Ｘ線検出器検出手段で検出されたＸ線検出器のうちＸ線検出器選定手段で選定されたＸ線検出器を選択することを特徴とするものである。
【００１４】
［作用・効果］この発明に係るＸ線装置によれば、使用可能なＸ線検出器を検出するＸ線検出器検出手段と、検査オーダ情報に基づいて選択の対象となるＸ線検出器を選定するＸ線検出器選定手段とを備える。そして、当該Ｘ線検出器検出手段にて検出されたＸ線検出器のうち検査オーダ情報に基づいてＸ線検出器選定手段によってＸ線検出器を選択する。このように、使用可能なＸ線検出器のうち検査オーダ情報に基づいて該当するＸ線検出器を選択するので、検査を実施するタイミングで使用可能なＸ線検出器が動的に変化する可能性がある場合において、使用可能なＸ線検出器の中から（検査オーダの）目的に合ったＸ線検出器を自動的に選択することができる。これによって、操作者の検査操作時の負担を軽減することができる。
【００１５】
上述した発明に係るＸ線装置において、検査オーダ情報の一例は検査に必要なＸ線検出器サイズ（以下、「推奨検出器サイズ」とも称す）であって、Ｘ線検出器選定手段は、当該Ｘ線検出器サイズ（推奨検出器サイズ）に基づいてＸ線検出器を選定する。Ｘ線検出器サイズ（推奨検出器サイズ）に合致した同じサイズのＸ線検出器が使用可能である場合には、当該同じサイズのＸ線検出器を選択することができる。特に、後述するように、使用可能な検出器の中で当該同じサイズのＸ線検出器が１つであった場合には、該当するＸ線検出器を選択する。
【００１６】
また、使用可能なＸ線検出器が１つであった場合には、下記のようにＸ線検出器を選択する。すなわち、上述した発明に係るＸ線装置において、Ｘ線検出器検出手段で検出されたＸ線検出器のうちＸ線検出器選定手段により当該同じサイズのＸ線検出器が１つであった場合には、該当するＸ線検出器を選択する第１Ｘ線検出器選択手段を備える。
【００１７】
また、当該同じサイズのＸ線検出器が複数存在する場合には、Ｘ線検出器を使用する優先順位を操作者が手動で設定して、当該優先順位に応じてＸ線検出器を自動的に選択するようにしてもよい。すなわち、上述した発明に係るＸ線装置において、Ｘ線検出器を使用する優先順位を設定する優先順位設定手段と、当該優先順位設定手段で設定された優先順位に応じてＸ線検出器を選択する第２Ｘ線検出器選択手段とを備える。この場合には、Ｘ線検出器検出手段で検出されたＸ線検出器のうち当該同じサイズのＸ線検出器が複数存在する場合に有用であり、第２Ｘ線検出器選択手段は、複数に該当するＸ線検出器の中から優先順位設定手段で設定された優先順位が最も高いＸ線検出器を選択する。例えば、Ｘ線検出器の感度に基づいて優先順位を設定する場合には、感度が最も高いＸ線検出器を最も高い優先順位に設定して、感度が低くなるほどＸ線検出器を低い順位に設定する。これによって、使用可能なＸ線検出器の中から感度が高いＸ線検出器を優先的に使用することができ、感度が高いほどＸ線の照射線量を少なくすることができ、被検体（患者）の被曝低減につながる。
【００１８】
当該同じサイズのＸ線検出器が複数存在する場合には、上述したように複数に該当する同じサイズのＸ線検出器の中から優先順位が最も高いＸ線検出器を選択する。なお、Ｘ線検出器の感度に基づいて優先順位を設定する場合には、「使用可能なＸ線検出器」→「Ｘ線検出器サイズ（推奨検出器サイズ）」→「Ｘ線検出器の感度」→「優先順位」という順序でＸ線検出器を選択することになる。
【００１９】
検査オーダ情報の一例が検査に必要なＸ線検出器サイズ（推奨検出器サイズ）である場合において、下記のような選択を行う第３Ｘ線検出器選択手段を備える。すなわち、Ｘ線検出器サイズ（推奨検出器サイズ）と同じサイズのＸ線検出器が使用可能である場合には、第３Ｘ線検出器選択手段は、当該同じサイズのＸ線検出器を選択する。一方、Ｘ線検出器サイズ（推奨検出器サイズ）と同じサイズのＸ線検出器が使用可能でなく、かつＸ線検出器サイズ（推奨検出器サイズ）よりも大きなサイズのＸ線検出器が使用可能である場合には、第３Ｘ線検出器選択手段は、該当する大きなサイズのＸ線検出器の中から最も小さいサイズのＸ線検出器を選択する。Ｘ線検出器サイズ（推奨検出器サイズ）と同じサイズのＸ線検出器が使用可能でなく、かつＸ線検出器サイズ（推奨検出器サイズ）よりも大きなサイズのＸ線検出器が使用可能である場合には、「発明が解決しようとする課題」の欄でも述べたように、Ｘ線検出器サイズ（推奨検出器サイズ）よりも大きなサイズのＸ線検出器を選択すれば、（透視や撮影を含む）検査に必要なＸ線検出器の範囲（検査部位の領域の範囲）をカバーすることができる。一方で、極力小型のＸ線検出器を利用したいというニーズを考慮すれば、該当する大きなサイズのＸ線検出器の中から最も小さいサイズのＸ線検出器を選択することで、上記ニーズに応えつつ検査に必要なＸ線検出器の範囲（検査部位の領域の範囲）をカバーすることができる。
【００２０】
さらに、Ｘ線検出器サイズ（推奨検出器サイズ）と同じサイズのＸ線検出器が使用可能でなく、Ｘ線検出器サイズ（推奨検出器サイズ）よりも大きなサイズのＸ線検出器が使用可能でなく、かつＸ線検出器サイズ（推奨検出器サイズ）よりも小さなサイズのＸ線検出器が使用可能である場合には、第３Ｘ線検出器選択手段は、該当する小さなサイズのＸ線検出器の中から最も大きいサイズのＸ線検出器を選択する。これによって、Ｘ線検出器サイズ（推奨検出器サイズ）と同じサイズのＸ線検出器が使用可能でなく、かつＸ線検出器サイズ（推奨検出器サイズ）よりも大きなサイズのＸ線検出器が使用可能でない場合であっても、該当する（Ｘ線検出器サイズよりも）小さなサイズのＸ線検出器の中から最も大きいサイズのＸ線検出器を、検査に必要なＸ線検出器サイズ（推奨検出器サイズ）に極力に近いサイズのＸ線検出器として使用することができる。
【００２１】
なお、優先順位を操作者が手動で設定する場合において、Ｘ線検出器の感度に基づいて行う一例について説明したが、Ｘ線検出器の感度に基づいてＸ線検出器を自動的に選択するようにしてもよい。すなわち、検査オーダ情報は、上述したＸ線検出器サイズ（推奨検出器サイズ）の他に、Ｘ線検出器の感度であって、Ｘ線検出器検出手段で検出されたＸ線検出器のうちＸ線検出器選定手段は、当該Ｘ線検出器サイズ（推奨検出器サイズ）に基づいてＸ線検出器を選定し、使用可能なＸ線検出器に基づいて、該当するＸ線検出器の中から感度が最も高いＸ線検出器を選択する。Ｘ線検出器の感度に基づいてＸ線検出器を自動的に選択する場合には、「使用可能なＸ線検出器」→「Ｘ線検出器サイズ（推奨検出器サイズ）」→「Ｘ線検出器の感度」→「感度が最も高いＸ線検出器」という順序でＸ線検出器を自動的に選択することになる。これによって、Ｘ線検出器サイズ（推奨検出器サイズ）に基づいて選定されたＸ線検出器のうち使用可能な感度が最も高いＸ線検出器を使用することができ、感度が高いほどＸ線の照射線量を少なくすることができ、被検体（患者）の被曝低減につながる。
【００２２】
Ｘ線検出器の感度に基づいてＸ線検出器を自動的に選択する場合においても、使用可能な感度が最も高いＸ線検出器が１つであった場合には、該当するＸ線検出器を選択する第１Ｘ線検出器選択手段を備える。
【００２３】
また、Ｘ線検出器の感度に基づいてＸ線検出器を自動的に選択する場合においても、使用可能なＸ線検出器が複数存在する場合には、Ｘ線検出器を使用する優先順位を操作者が手動で設定して、当該優先順位に応じてＸ線検出器を自動的に選択するようにしてもよい。すなわち、同様に、Ｘ線検出器を使用する優先順位を設定する優先順位設定手段と、当該優先順位設定手段で設定された優先順位に応じてＸ線検出器を選択する第２Ｘ線検出器選択手段とを備える。この場合には、使用可能な感度が最も高いＸ線検出器が複数存在する場合に有用であり、第２Ｘ線検出器選択手段は、複数に該当するＸ線検出器の中から優先順位設定手段で設定された優先順位が最も高いＸ線検出器を選択する。
【００２４】
Ｘ線検出器の感度に基づいてＸ線検出器を自動的に選択する場合においても、上述したような選択を行う第３Ｘ線検出器選択手段を備える。すなわち、Ｘ線検出器サイズ（推奨検出器サイズ）と同じサイズのＸ線検出器が使用可能である場合には、第３Ｘ線検出器選択手段は、当該同じサイズのＸ線検出器を選択する。一方、Ｘ線検出器サイズ（推奨検出器サイズ）と同じサイズのＸ線検出器が使用可能でなく、かつＸ線検出器サイズ（推奨検出器サイズ）よりも大きなサイズのＸ線検出器が使用可能である場合には、第３Ｘ線検出器選択手段は、該当する大きなサイズのＸ線検出器の中から最も小さいサイズのＸ線検出器を選択する。さらに、当該第３Ｘ線検出器選択手段で選択された最も小さいサイズのＸ線検出器のうち使用可能なＸ線検出器に基づいて、該当するＸ線検出器の中から感度が最も高いＸ線検出器を選択する。該当する大きなサイズのＸ線検出器の中から最も小さいサイズのＸ線検出器を選択することで、極力小型のＸ線検出器を利用したいというニーズに応えつつ検査に必要なＸ線検出器の範囲（検査部位の領域の範囲）をカバーすることができる。さらに、複数に該当する同じサイズのＸ線検出器の中から感度が最も高いＸ線検出器を選択することで、上記ニーズに応えつつ使用可能な感度が最も高いＸ線検出器を使用することができ、感度が高いほどＸ線の照射線量を少なくすることができ、被検体（患者）の被曝低減につながる。
【００２５】
Ｘ線検出器の感度に基づいてＸ線検出器を自動的に選択する場合においても、第３Ｘ線検出器選択手段は上述したような選択を行う。すなわち、Ｘ線検出器サイズ（推奨検出器サイズ）と同じサイズのＸ線検出器が使用可能でなく、Ｘ線検出器サイズ（推奨検出器サイズ）よりも大きなサイズのＸ線検出器が使用可能でなく、かつＸ線検出器サイズ（推奨検出器サイズ）よりも小さなサイズのＸ線検出器が使用可能である場合には、第３Ｘ線検出器選択手段は、該当する小さなサイズのＸ線検出器の中から最も大きいサイズのＸ線検出器を選択する。そして、当該第３Ｘ線検出器選択手段で選択された最も大きいサイズのＸ線検出器のうち使用可能なＸ線検出器に基づいて、該当するＸ線検出器の中から感度が最も高いＸ線検出器を選択する。これによって、Ｘ線検出器サイズ（推奨検出器サイズ）と同じサイズのＸ線検出器が使用可能でなく、かつＸ線検出器サイズ（推奨検出器サイズ）よりも大きなサイズのＸ線検出器が使用可能でない場合であっても、該当する（Ｘ線検出器サイズよりも）小さなサイズのＸ線検出器の中から最も大きいサイズのＸ線検出器を、検査に必要なＸ線検出器サイズ（推奨検出器サイズ）に極力に近いサイズのＸ線検出器として使用することができる。さらに、使用可能な感度が最も高いＸ線検出器を使用することができ、感度が高いほどＸ線の照射線量を少なくすることができ、被検体（患者）の被曝低減につながる。
【００２６】
これらの発明に係るＸ線装置では、上述したＸ線検出器選定手段による選定や使用可能なＸ線検出器に基づくＸ線検出器の選択よりも、下記のように優先的に選定・選択するようにしてもよい。
【００２７】
例えば、使用可能でない状態であったＸ線検出器を使用可能な状態に変更設定する第１変更設定手段を備え、当該第１変更設定手段で使用可能な状態に変更設定された当該Ｘ線検出器を最優先に選択する。例えば、Ｘ線検出器を複数のＸ線装置で共有する場合において、一方のＸ線装置でＸ線検出器を使用することで、他方のＸ線装置では当該Ｘ線検出器が使用可能でなくなる。他方のＸ線装置で当該Ｘ線検出器を使用したい場合においては、第１変更設定手段で使用可能な状態に変更設定することで、他方のＸ線装置において当該Ｘ線検出器を最優先に選択するようにする。
【００２８】
逆に、使用可能なＸ線検出器として検出されていた当該Ｘ線検出器を使用可能でない状態に変更設定する第２変更設定手段を備え、当該第２変更設定手段で使用可能でない状態に変更設定されると、Ｘ線検出器検出手段で検出された使用可能なＸ線検出器のうちＸ線検出器選定手段による選定を再度に行いＸ線検出器の選択を再度に行うようにする。
【００２９】
また、例えば、使用可能なＸ線検出器のうち１つのＸ線検出器を最優先に選択するようにする。例えば、既に検査を行った検査オーダに対して写損操作やオーダの複製操作などを行い、新たに検査オーダが追加された場合には、再撮影を行うべく直前に使用されたＸ線検出器や追加された検査オーダの対象となるＸ線検出器が使用可能な状態である場合には、当該Ｘ線検出器を最優先に選択することにより、当該Ｘ線検出器を使用してもよい。
【００３０】
また、これらの発明に係るＸ線装置を制御する制御装置は、使用可能なＸ線検出器を検出するＸ線検出器検出手段と、検査オーダ情報に基づいて選択の対象となるＸ線検出器を選定するＸ線検出器選定手段とを備え、当該Ｘ線検出器検出手段で検出されたＸ線検出器のうち当該Ｘ線検出器選定手段で選定されたＸ線検出器を選択することを特徴とするものである。
【００３１】
また、これらの発明に係るＸ線装置を制御する制御方法であって、使用可能なＸ線検出器を検出するＸ線検出器検出工程と、検査オーダ情報に基づいて選択の対象となるＸ線検出器を選定するＸ線検出器選定工程とを備え、当該Ｘ線検出器検出工程で検出されたＸ線検出器のうちＸ線検出器選定工程で選定されたＸ線検出器を選択することを特徴とするものである。
【００３２】
また、これらの発明に係るＸ線装置を制御する一連の処理をコンピュータに実行させるための制御プログラムであって、使用可能なＸ線検出器を検出するＸ線検出器検出工程と、検査オーダ情報に基づいて選択の対象となるＸ線検出器を選定するＸ線検出器選定工程とを備え、当該Ｘ線検出器検出工程で検出されたＸ線検出器のうちＸ線検出器選定工程で選定されたＸ線検出器を選択し、これらの工程での処理をコンピュータに実行させることを特徴とするものである。
【００３３】
［作用・効果］この発明に係る制御装置、制御方法および制御プログラムによれば、上述した発明に係るＸ線装置と同様に、（Ｘ線検出器検出手段にて検出された）使用可能なＸ線検出器のうち検査オーダ情報に基づいて該当するＸ線検出器を選択するので、検査を実施するタイミングで使用可能なＸ線検出器が動的に変化する可能性がある場合において、使用可能なＸ線検出器の中から（検査オーダの）目的に合ったＸ線検出器を自動的に選択することができる。
【発明の効果】
【００３４】
この発明に係るＸ線装置、それを制御する制御装置および制御方法、並びに制御プログラムによれば、（Ｘ線検出器検出手段にて検出された）使用可能なＸ線検出器のうち検査オーダ情報に基づいて該当するＸ線検出器を選択するので、検査を実施するタイミングで使用可能なＸ線検出器が動的に変化する可能性がある場合において、使用可能なＸ線検出器の中から（検査オーダの）目的に合ったＸ線検出器を自動的に選択することができる。
【図面の簡単な説明】
【００３５】
【図１】実施例に係るＸ線撮影装置のブロック図である。
【図２】実施例に係るコンソールのブロック図である。
【図３】推奨検出器サイズと同じサイズのフラットパネル型Ｘ線検出器（ＦＰＤ）が使用可能である場合の実施例に係るフローチャートである。
【図４】推奨検出器サイズと同じサイズのフラットパネル型Ｘ線検出器（ＦＰＤ）が使用可能でなく、かつ推奨検出器サイズよりも大きなサイズのフラットパネル型Ｘ線検出器（ＦＰＤ）が使用可能である場合の実施例に係るフローチャートである。
【図５】推奨検出器サイズと同じサイズのフラットパネル型Ｘ線検出器（ＦＰＤ）が使用可能でなく、推奨検出器サイズよりも大きなサイズのフラットパネル型Ｘ線検出器（ＦＰＤ）が使用可能でなく、かつ推奨検出器サイズよりも小さなサイズのフラットパネル型Ｘ線検出器（ＦＰＤ）が使用可能である場合の実施例に係るフローチャートである。
【図６】変形例に係るコンソールのブロック図である。
【図７】さらなる変形例に係るコンソールのブロック図である。
【実施例】
【００３６】
以下、図面を参照してこの発明の実施例を説明する。
図１は、実施例に係るＸ線撮影装置のブロック図であり、図２は、実施例に係るコンソールのブロック図である。本実施例では、Ｘ線装置における検査として撮影を例に採って説明するとともに、Ｘ線装置として移動式台車を有した回診用のＸ線撮影装置を例に採って説明する。
【００３７】
本実施例に係るＸ線撮影装置は、図１に示すように、移動式台車１と、患者である被検体Ｍに向けてＸ線を照射するＸ線管２と、Ｘ線管２から照射されて被検体Ｍを透過したＸ線を検出するフラットパネル型Ｘ線検出器（ＦＰＤ）３とを備えている。図１では、移動式台車１は支柱や伸縮アームなどを備え、伸縮アームの一端がＸ線管２を保持し、被検体Ｍを載置した天板の下方にＦＰＤ３を保持することで、Ｘ線管２およびＦＰＤ３が対向するように設けられている。なお、移動式台車は図１に示す構造に限定されず、Ｃアームを備え、Ｃアームの一端がＸ線管を保持し、Ｃアームの他端がＦＰＤを保持することで、Ｘ線管およびＦＰＤが対向する構造であってもよい。本実施例では、Ｘ線撮影装置は回診用であるので、被検体Ｍを載置した天板はＸ線撮影装置と独立して設置されている。Ｘ線管２は、この発明におけるＸ線管に相当し、フラットパネル型Ｘ線検出器（ＦＰＤ）３は、この発明におけるＸ線検出器に相当する。
【００３８】
この他に、Ｘ線撮影装置は、ＦＰＤ３によって検出されたＸ線に基づいて画像処理を行う画像処理部４と、各構成部を統括制御するコントローラ５と、コントローラ５を介して画像処理部４によって各種の画像処理で得られたＸ線画像を記憶するとともに、後述する撮影オーダ情報を記憶するメモリ部６と、技師などの操作者がデータや命令（コマンド）を入力する入力部７と、画像処理部４によるＸ線画像を表示するとともに、後述する自動的に選択されたＦＰＤ３を明示的に表示する表示部８とを備えている。コントローラ５は、この発明における制御装置に相当し、入力部７は、この発明における優先順位設定手段に相当する。
【００３９】
なお、コントローラ５，メモリ部６，入力部７および表示部８でコンソール９を構成している。画像処理部４をコンソール９に含ませてもよい。コンソール９の具体的な構成については、図２で後述する。
【００４０】
ＦＰＤ３は、その検出面にはＸ線に有感な複数の検出素子を２次元マトリックス状に配列して構成されている。検出素子は、被検体Ｍを透過したＸ線を電気信号に変換して一旦蓄積して、その蓄積された電気信号を読み出すことで、Ｘ線を検出する。各々の検出素子でそれぞれ検出された電気信号を、電気信号に応じた画素値に変換して、検出素子の位置にそれぞれ対応した画素にその画素値を割り当てることでＸ線画像を出力する。出力されたＸ線画像を、コントローラ５を介して画像処理部４あるいはメモリ部６に送り込む。このように、ＦＰＤ３は、Ｘ線を検出する複数の検出素子が行列状（２次元マトリックス状）に構成されており、Ｘ線撮影デジタル装置に用いられる。なお、Ｘ線検出器はＦＰＤに限定されず、イメージインテンシファイア（Ｉ．Ｉ）などのＸ線撮影アナログ装置に用いられるＸ線検出器であってもよい。
【００４１】
なお、ＦＰＤ３は、Ｘ線を直接的に電気信号に変換する光電変換層を有した直接変換型Ｘ線検出器であってもよいし、Ｘ線を光に変換するシンチレータと、変換された光を電気信号に変換する光電変換層とを有することで、Ｘ線を間接的に電気信号に変換する間接変換型Ｘ線検出器であってもよい。なお、Ｘ線の照射線量に対する電気信号の出力は、ＦＰＤ３の感度に比例する。感度は、上述した光電変換層やシンチレータを構成する材料に応じて変化する。本実施例では、撮影前に各ＦＰＤ３の感度をそれぞれ求めて、撮影オーダ情報としてメモリ部６に書き込んで記憶する。
【００４２】
本実施例では、様々な感度を有したＦＰＤ３や、様々な推奨検出器サイズを有したＦＰＤ３を用意して、これらＦＰＤ３を複数のＸ線撮影装置が共有している。
【００４３】
画像処理部４やコントローラ５は、中央演算処理装置（ＣＰＵ）などで構成されている。なお、画像処理部４については、ＧＰＵ(Graphics Processing Unit) などで構成されてもよい。
【００４４】
メモリ部６は、ＲＯＭ（Read-only Memory）やＲＡＭ（Random-Access Memory）などに代表される記憶媒体で構成されている。本実施例では、ＦＰＤ３で得られた画像処理部４による画像処理後のＸ線画像を書き込んで記憶し、適宜必要に応じてメモリ部６からＸ線画像を読み出して表示部８、あるいはプリンタ（図示省略）に送り込む。また、本実施例では、検査に必要なＦＰＤサイズ（推奨検出器サイズ）やＦＰＤ３の感度などの撮影オーダ情報を書き込んで記憶し、後述するコントローラ５のＦＰＤ選定部５２（図２を参照）による選定の際にメモリ部６から当該撮影オーダ情報を読み出して当該ＦＰＤ選定部５２に送り込む。また、後述する使用可能な検出器リスト情報を書き込んで記憶し、後述するコントローラ５のＦＰＤ検出部５１による検出（リストアップ）の際にメモリ部６から当該検出器リスト情報を読み出して当該ＦＰＤ検出部５１に送り込む。
【００４５】
ここで、使用可能なＦＰＤ３をリストアップ（検出）するために、ＦＰＤ３が使用可能であると設定する操作を事前に行う。ＦＰＤ３が使用可能であると設定する手法については特に限定されないが、ここでは通信手段による認証を例に採って説明する。具体的には、装置Ａで使用可能になっている検出器ａを装置Ｂで使用するためには、通信手段を用いて装置Ｂ・検出器ａ間を通信し、装置Ｂに検出器ａを認証させ、検出器ａを装置Ｂに属した状態にする。
【００４６】
この通信手段による認証については、通常における装置・検出器間での通信手段とは別の通信手段を用いて認証を行うのが好ましい。例えば、普段、装置・検出器間を無線ＬＡＮ(Local Area Network)で通信しているときには、有線ケーブルを用いて装置・検出器間を電気的に接続し、その検出器を有線ケーブルにて接続された装置に属するように認証を行う。逆に、普段、装置・検出器間を有線ケーブルで通信しているときには、無線ＬＡＮを用いて装置・検出器間を赤外線通信することで、その検出器を通信相手の装置に属するように認証を行う。認証された検出器を検出器リスト情報として、該当する装置のメモリ部に書き込んで記憶する。
【００４７】
通常、複数の使用可能な検出器を認証する。複数の使用可能な検出器を認証する場合には、複数の通信手段（例えば有線ケーブル）を用いて通信手段と同数の使用可能な検出器を同時に認証してもよいし、個々の検出器に対して順に認証してもよい。
【００４８】
なお、認証操作は頻繁に行われないと考えられるので、複数の有線ケーブルを用いて有線ケーブルと同数の使用可能な検出器を同時に認証する場合には、通常における装置・検出器間での通信や検出器の充電のためのケーブルが、認証のためのケーブルを兼用するようにしてもよい。
【００４９】
個々の検出器に対して順に認証する場合には、認証の対象となる検出器・装置間を通信して当該装置に当該検出器を認証させ、認証が済めば次の検出器の認証のために認証済の検出器・装置間の通信処理を完了し、次の検出器を認証の対象となる検出器として設定する操作を個々の検出器に対して順に行う。通信手段が有線ケーブルの場合には、有線ケーブルを認証の対象となる検出器・装置に電気的に接続することで認証の対象となる検出器・装置間を通信して当該装置に当該検出器を認証させ、有線ケーブルを認証済の検出器・装置から電気的に切り離すことで認証済の検出器・装置間の通信処理を完了し、有線ケーブルを次の検出器・装置に電気的に接続することで次の検出器を認証の対象となる検出器として設定する操作を個々の検出器に対して順に行う。
【００５０】
ここで、検出器を複数の装置が共有している場合には、当該検出器がどの装置と通信しているのかが判らなくなるのを防止するために、複数の装置に当該検出器を同時に認証させないようにする。例えば、検出器ａを２つの装置Ａ，Ｂが共有している場合には、装置Ａで使用していた検出器ａを装置Ｂで使用したい場合、装置Ａからは検出器リスト情報から検出器ａを削除し、装置Ｂに検出器ａを認証させる。このようにして、２つの装置Ａ，Ｂに当該検出器ａを同時に認証させないようにする。
【００５１】
上述した認証が一度行われると、例えば、上述したように別の装置に認証させた，上述したように操作者が検出器リスト情報から検出器情報を削除したなどのような何らかの事情で認証が解除されない限り、再度認証させる必要はない。したがって、装置の電源をオフあるいはオンしても再度認証させる必要はない。
【００５２】
また、上述した認証の前に個々の検出器に関する登録操作を行ってもよい。ここでの登録操作とは、検出器の情報を該当する装置のメモリ部に書き込んで記憶する操作を意味する。装置に登録された検出器が認証された場合に限り、その装置でその検出器を使用可能になるようにする。逆に、装置に登録されていない検出器に関して認証操作を当該装置に行ったとしても、その装置で未登録の検出器を使用することができないようにする。このように、装置に対して登録操作および認証操作を両方行った検出器のみ使用することができるようにしてもよい。この登録操作は、使用する可能性のある装置全てに対して予め行うことが可能である。
【００５３】
上記では、通信手段による認証を例に採って説明したが、通信手段による認証以外にも、下記のようにＦＰＤ３などに代表される検出器が使用可能であると設定してもよい。例えば、無線の検出器を電波圏外へ移動させた場合、認証済であっても使用可能な検出器リスト情報から削除し、逆に、電波圏外にあった無線の検出器を電波圏内に移動させた場合、使用可能な検出器リスト情報に当該検出器を自動的に追加するように設定してもよい。また、検出器の電源を単純にオフにすることで使用可能な検出器リスト情報から削除し、検出器の電源を単純にオンにすることで使用可能な検出器リスト情報に当該検出器を自動的に追加するように設定してもよい。つまり、検出器が装置と通信不能になると使用可能でなくなり、検出器が装置と通信可能になると使用可能になるように設定する。
【００５４】
入力部７は、マウスやキーボードやジョイスティックやトラックボールやタッチパネルなどに代表されるポインティングデバイスで構成されている。本実施例では、ＦＰＤ３を使用する優先順位を操作者が手動で設定するために、推奨検出器サイズやＦＰＤ３の感度などの撮影オーダ情報に基づいて当該優先順位を入力する。なお、後述するように、本実施例では推奨検出器サイズに基づいてＦＰＤ３を選定し、感度を考慮する場合に感度が最も高いＦＰＤ３を選択するというように、推奨検出器サイズや感度を既に用いているので、推奨検出器サイズや感度以外の撮影オーダ情報（例えば、被検体・関心領域のサイズや撮影部位）を用いて操作者はＦＰＤ３を使用する優先順位を任意に設定すればよい。
【００５５】
表示部８はタッチパネルやモニタやテレビジョンなどで構成されている。本実施例では、後述するコントローラ５の第１〜第３ＦＰＤ選択部５３〜５５（図２を参照）で選択されたＦＰＤ３を表示部８に明示的に表示する他に、後述する図４のフローチャートや図５のフローチャートに示すように推奨検出器サイズと異なる別のサイズのＦＰＤ３を選択した際に、確認ダイアログ(dialog)を表示部８に表示する（図４のステップＳ１８や図５のステップＳ２７を参照）。
【００５６】
図２に示すようにコンソール９は、コントローラ５，メモリ部６，入力部７および表示部８を内蔵している（図１も参照）。コントローラ５は、ＦＰＤ検出部５１とＦＰＤ選定部５２と第１〜第３ＦＰＤ選択部５３〜５５とを備えている。ＦＰＤ検出部５１は、この発明におけるＸ線検出器検出手段に相当し、ＦＰＤ選定部５２は、この発明におけるＸ線検出器選定手段に相当し、第１ＦＰＤ選択部５３は、この発明における第１Ｘ線検出器選択手段に相当し、第２ＦＰＤ選択部５４は、この発明における第２Ｘ線検出器選択手段に相当し、第３ＦＰＤ選択部５５は、この発明における第３Ｘ線検出器選択手段に相当する。
【００５７】
なお、ＦＰＤ検出部５１による検出やＦＰＤ選定部５２による選定や第１〜第３ＦＰＤ選択部５３〜５５による選択を行うためのプログラム等をＲＯＭなどに代表される記憶媒体（メモリ部６）に書き込んで記憶し、その記憶媒体からプログラム等を読み出してコンソール９のＣＰＵ（コントローラ５）が実行することでそのプログラムに応じたＦＰＤ検出部５１による検出やＦＰＤ選定部５２による選定や第１〜第３ＦＰＤ選択部５３〜５５による選択を行う。図１では、メモリ部６内に制御プログラム６Ａを図示している。制御プログラム６Ａは、この発明における制御プログラムに相当する。
【００５８】
ＦＰＤ検出部５１は、使用可能なＦＰＤ３を検出する。本実施例では、認証済のＦＰＤ３としてメモリ部６に記憶された検出器リスト情報を読み出してＦＰＤ検出部５１が参照することで、使用可能なＦＰＤ３を検出する。検出されたＦＰＤ３をＦＰＤ選定部５２に送り込む。
【００５９】
ＦＰＤ選定部５２は、メモリ部６に記憶された撮影オーダ情報に基づいて選択の対象となるＦＰＤ３を選定する。本実施例では、上述したように、撮影オーダ情報は、検査に必要なＦＰＤサイズ（推奨検出器サイズ）の他に、ＦＰＤ３の感度である。そして、ＦＰＤ選定部５２は、推奨検出器サイズに基づいてＦＰＤ３を選定する。さらに、ＦＰＤ３の感度を考慮する場合、該当するＦＰＤ３の中から感度が最も高いＦＰＤ３を選択する。これら選定・選択されたＦＰＤ３の情報を第１〜第３ＦＰＤ選択部５３〜５５に送り込む。使用可能なＦＰＤ３が１つであった場合には第１ＦＰＤ選択部５３に切り替えて、使用可能なＦＰＤ３が複数存在する場合には第２ＦＰＤ選択部５４に切り替えて、推奨検出器サイズと同じサイズのＦＰＤ３が使用可能でない場合（すなわち推奨検出器サイズと同じサイズの検出器が検出器リスト情報にない場合）には第３ＦＰＤ選択部５５に切り替える。
【００６０】
推奨検出器サイズに合致した同じサイズの使用可能なＦＰＤ３が１つであった場合には、第１ＦＰＤ選択部５３は、後述する図３のフローチャートに示すように該当するＦＰＤ３を選択する（図３のステップＳ６を参照）。また、感度を考慮する場合において、推奨検出器サイズに合致した同じサイズの使用可能なＦＰＤ３のうち感度が最も高いＦＰＤ３が１つであった場合には、第１ＦＰＤ選択部５３は、後述する図３のフローチャートに示すように該当するＦＰＤ３を選択する（図３のステップＳ９を参照）。
【００６１】
なお、推奨検出器サイズと同じサイズのＦＰＤ３が使用可能でなく、かつ推奨検出器サイズよりも大きなサイズのＦＰＤ３が使用可能である場合において、推奨検出器サイズよりも大きなサイズのＦＰＤ３の中から最も小さいサイズのＦＰＤ３が１つであった場合には、第１ＦＰＤ選択部５３は、後述する図４のフローチャートに示すように該当するＦＰＤ３を選択する（図４のステップＳ１３を参照）。また、感度を考慮する場合において、推奨検出器サイズよりも大きなサイズのＦＰＤ３の中から最も小さいサイズの感度が最も高いＦＰＤ３が１つであった場合には、第１ＦＰＤ選択部５３は、後述する図４のフローチャートに示すように該当するＦＰＤ３を選択する（図４のステップＳ１６を参照）。
【００６２】
なお、推奨検出器サイズと同じサイズのＦＰＤ３が使用可能でなく、推奨検出器サイズよりも大きなサイズのＦＰＤ３が使用可能でなく、かつ推奨検出器サイズよりも小さなサイズのＦＰＤ３が使用可能である場合において、推奨検出器サイズよりも小さなサイズのＦＰＤ３の中から最も大きいサイズのＦＰＤ３が１つであった場合には、第１ＦＰＤ選択部５３は、後述する図５のフローチャートに示すように該当するＦＰＤ３を選択する（図５のステップＳ２２を参照）。また、感度を考慮する場合において、推奨検出器サイズよりも小さなサイズのＦＰＤ３の中から最も大きいサイズの感度が最も高いＦＰＤ３が１つであった場合には、第１ＦＰＤ選択部５３は、後述する図５のフローチャートに示すように該当するＦＰＤ３を選択する（図５のステップＳ２５を参照）。
【００６３】
推奨検出器サイズに合致した同じサイズの使用可能なＦＰＤ３が複数存在する場合には、第２ＦＰＤ選択部５４は、後述する図３のフローチャートに示すように複数に該当するＦＰＤ３の中から入力部７で設定された優先順位が最も高いＦＰＤ３を選択する（図３のステップＳ７やステップＳ１０を参照）。
【００６４】
なお、推奨検出器サイズと同じサイズのＦＰＤ３が使用可能でなく、かつ推奨検出器サイズよりも大きなサイズのＦＰＤ３が使用可能である場合において、推奨検出器サイズよりも大きなサイズのＦＰＤ３の中から最も小さいサイズのＦＰＤ３が複数存在する場合には、第２ＦＰＤ選択部５４は、後述する図４のフローチャートに示すようにＦＰＤ３の中から入力部７で設定された優先順位が最も高いＦＰＤ３を選択する（図４のステップＳ１４やステップＳ１７を参照）。
【００６５】
なお、推奨検出器サイズと同じサイズのＦＰＤ３が使用可能でなく、推奨検出器サイズよりも大きなサイズのＦＰＤ３が使用可能でなく、かつ推奨検出器サイズよりも小さなサイズのＦＰＤ３が使用可能である場合において、推奨検出器サイズよりも小さなサイズのＦＰＤ３の中から最も大きいサイズのＦＰＤ３が複数存在する場合には、第２ＦＰＤ選択部５４は、後述する図５のフローチャートに示すようにＦＰＤ３の中から入力部７で設定された優先順位が最も高いＦＰＤ３を選択する（図５のステップＳ２３やステップＳ２６を参照）。
【００６６】
推奨検出器サイズと同じサイズのＦＰＤ３が使用可能でない場合には、第３ＦＰＤ選択部５５は下記のようにＦＰＤ３を選択する。推奨検出器サイズよりも大きなサイズのＦＰＤ３が使用可能である場合には、第３ＦＰＤ選択部５５は、後述する図４のフローチャートに示すように該当する大きなサイズのＦＰＤ３の中から最も小さいサイズのＦＰＤ３を選択する（図４のステップＳ１１を参照）。推奨検出器サイズよりも大きなサイズのＦＰＤ３が使用可能でなく、かつ推奨検出器サイズよりも小さなサイズのＦＰＤ３が使用可能である場合には、第３ＦＰＤ選択部５５は、後述する図５のフローチャートに示すように該当する小さなサイズのＦＰＤ３の中から最も大きいサイズのＦＰＤ３を選択する（図５のステップＳ２１を参照）。第３ＦＰＤ選択部５５で選択されたＦＰＤ３を撮影オーダ情報に基づいてさらに選定する場合には、ＦＰＤ選定部５２に送り込む。
【００６７】
これら第１〜第３ＦＰＤ選択部５３〜５５で選択されたＦＰＤ３を明示的に表示するために、表示部８に送り込む。
【００６８】
次に、選択に関する制御の各フローチャートについて、図３〜図５を参照して説明する。図３は、推奨検出器サイズと同じサイズのフラットパネル型Ｘ線検出器（ＦＰＤ）が使用可能である場合の実施例に係るフローチャートであり、図４は、推奨検出器サイズと同じサイズのフラットパネル型Ｘ線検出器（ＦＰＤ）が使用可能でなく、かつ推奨検出器サイズよりも大きなサイズのフラットパネル型Ｘ線検出器（ＦＰＤ）が使用可能である場合の実施例に係るフローチャートであり、図５は、推奨検出器サイズと同じサイズのフラットパネル型Ｘ線検出器（ＦＰＤ）が使用可能でなく、推奨検出器サイズよりも大きなサイズのフラットパネル型Ｘ線検出器（ＦＰＤ）が使用可能でなく、かつ推奨検出器サイズよりも小さなサイズのフラットパネル型Ｘ線検出器（ＦＰＤ）が使用可能である場合の実施例に係るフローチャートである。
【００６９】
なお、図３〜図５のフローチャートは、図３のステップＳ１の撮影オーダが選択される（つまり、ある撮影オーダ情報に基づいて撮影を開始する），使用可能なＦＰＤ３（図１および図２を参照）の数が増減する，あるいは写損や再撮影を実施するといったタイミングで開始される。先ず、図３のフローチャートについて説明する。
【００７０】
（ステップＳ１）撮影オーダ選択
メモリ部６（図１および図２を参照）に記憶された撮影オーダ情報の中から操作者は選択する。選択された当該撮影オーダをメモリ部６から読み出してＦＰＤ選定部５２（図２を参照）に送り込む。
【００７１】
（ステップＳ２）使用可能なＦＰＤをチェック
メモリ部６に記憶された検出器リスト情報を読み出してＦＰＤ検出部５１（図２を参照）が参照することで、使用可能なＦＰＤ３を検出する。この検出は「リストアップ」とも呼ばれ、使用可能なＦＰＤ３を検出することで、使用可能なＦＰＤ３をチェックする。チェック結果を、ＦＰＤ選定部５２に送り込む。このステップＳ２は、この発明におけるＸ線検出器検出工程に相当する。
【００７２】
（ステップＳ３）推奨検出器サイズをチェック
ステップＳ１で選択された撮影オーダ情報に関連付けられた推奨検出器サイズをチェックする。撮影オーダ情報は推奨検出器サイズであるので、ＦＰＤ選定部５２は推奨検出器サイズに合致したＦＰＤ３を選定する。このとき、推奨検出器サイズに合致しない使用可能なＦＰＤ３も選定するのが好ましい。このステップＳ３は、この発明におけるＸ線検出器選定工程に相当する。
【００７３】
（ステップＳ４）推奨検出器サイズと同じサイズのＦＰＤが使用可能か？
推奨検出器サイズと同じサイズのＦＰＤ３が使用可能か否かを判断する。推奨検出器サイズと同じサイズのＦＰＤ３が使用可能でない場合（図３の「Ｎｏ」を参照）には、ステップＳ３での結果に基づいて第３ＦＰＤ選択部５５（図２を参照）に切り替えて、図４のステップＳ１１に進む。推奨検出器サイズと同じサイズのＦＰＤ３が使用可能である場合（図３の「Ｙｅｓ」を参照）にはステップＳ５に進む。
【００７４】
（ステップＳ５）複数のＦＰＤが該当するか？
推奨検出器サイズと同じサイズのＦＰＤ３が使用可能である場合には、使用可能なＦＰＤ３が複数存在するか否かを判断する。使用可能なＦＰＤ３が１つであった場合（図３の「Ｎｏ」を参照）には、第１ＦＰＤ選択部５３（図２を参照）に切り替えて、ステップＳ６に進む。使用可能なＦＰＤ３が複数存在する場合（図３の「Ｙｅｓ」を参照）には、ステップＳ７またはステップＳ８に進む。
【００７５】
ＦＰＤ３の感度を考慮しない場合、第２ＦＰＤ選択部５４（図２を参照）に切り替えて、ステップＳ７に進む。ＦＰＤ３の感度を考慮する場合、ステップＳ８に進む。装置の設定として、感度を考慮するのかしないのかの設定を予め行い、設定値に基づいて自動的に分岐先に進むようにする。もちろん、表示部８（図１および図２を参照）に、例えば「感度を考慮しますか？」および「感度を考慮しませんか？」というボタン、あるいは「感度を考慮しますか？」に対して「はい」および「いいえ」というボタンを表示して、それらのボタンのうちのいずれかを入力部７のポインティングデバイスによってクリックすることで、感度の考慮の要否を選択するようにしてもよい。
【００７６】
（ステップＳ６）該当するＦＰＤを選択
使用可能なＦＰＤ３が１つであった場合には、第１ＦＰＤ選択部５３は、該当するＦＰＤ３を選択する。第１ＦＰＤ選択部５３で選択されたＦＰＤ３を明示的に表示するために、表示部８に送り込んで、一連の検出器選択を終了する。
【００７７】
（ステップＳ７）優先順位が最も高いＦＰＤを選択
ＦＰＤ３の感度を考慮しない場合、かつ使用可能なＦＰＤ３が複数存在する場合には、第２ＦＰＤ選択部５４は、複数に該当するＦＰＤ３の中から入力部７で設定された優先順位が最も高いＦＰＤ３を選択する。第２ＦＰＤ選択部５４で選択されたＦＰＤ３を明示的に表示するために、表示部８に送り込んで、一連の検出器選択を終了する。
【００７８】
（ステップＳ８）感度が最も高いＦＰＤは複数存在するか？
ＦＰＤ３の感度を考慮する場合、かつ使用可能なＦＰＤ３が複数存在する場合には、複数に該当するＦＰＤ３の中から感度が最も高いＦＰＤ３が複数存在するか否かを判断する。使用可能な感度が最も高いＦＰＤ３が１つであった場合（図３の「Ｎｏ」を参照）には、第１ＦＰＤ選択部５３に切り替えて、ステップＳ９に進む。使用可能な感度が最も高いＦＰＤ３が複数存在する場合（図３の「Ｙｅｓ」を参照）には、第２ＦＰＤ選択部５４に切り替えて、ステップＳ１０に進む。
【００７９】
（ステップＳ９）該当するＦＰＤを選択
ＦＰＤ３の感度を考慮する場合、かつ使用可能な感度が最も高いＦＰＤ３が１つであった場合には、第１ＦＰＤ選択部５３は、該当するＦＰＤ３を選択する。第１ＦＰＤ選択部５３で選択されたＦＰＤ３を明示的に表示するために、表示部８に送り込んで、一連の検出器選択を終了する。
【００８０】
（ステップＳ１０）優先順位が最も高いＦＰＤを選択
ＦＰＤ３の感度を考慮する場合、かつ使用可能な感度が最も高いＦＰＤ３が複数存在する場合には、第２ＦＰＤ選択部５４は、複数に該当するＦＰＤ３の中から入力部７で設定された優先順位が最も高いＦＰＤ３を選択する。第２ＦＰＤ選択部５４で選択されたＦＰＤ３を明示的に表示するために、表示部８に送り込んで、一連の検出器選択を終了する。
【００８１】
次に、図４のフローチャートについて説明する。図３のステップＳ４で、推奨検出器サイズと同じサイズのＦＰＤ３が使用可能でない場合（「Ｎｏ」の場合）には、図４のステップＳ１１に進む。
【００８２】
（ステップＳ１１）推奨検出器サイズより大きなサイズのＦＰＤが使用可能か？
推奨検出器サイズより大きなサイズのＦＰＤ３が使用可能か否かを判断する。推奨検出器サイズより大きなサイズのＦＰＤ３が使用可能でない場合（図４の「Ｎｏ」を参照）には、図５のステップＳ２１に進む。推奨検出器サイズより大きなサイズのＦＰＤ３が使用可能である場合（図４の「Ｙｅｓ」を参照）にはステップＳ１２に進む。
【００８３】
（ステップＳ１２）サイズが最も小さいＦＰＤは複数存在するか？
推奨検出器サイズより大きなサイズのＦＰＤ３が使用可能である場合には、該当するＦＰＤ３の中からサイズが最も小さいＦＰＤ３が複数存在するか否かを判断する。最も小さいＦＰＤ３が１つであった場合（図４の「Ｎｏ」を参照）には、ステップＳ１３に進む。最も小さいＦＰＤ３が複数存在する場合（図４の「Ｙｅｓ」を参照）には、ステップＳ１４またはステップＳ１５に進む。
【００８４】
ＦＰＤ３の感度を考慮しない場合、ステップＳ１４に進む。ＦＰＤ３の感度を考慮する場合、ステップＳ１５に進む。
【００８５】
（ステップＳ１３）該当するＦＰＤを選択
最も小さいＦＰＤ３が１つであった場合には、第１ＦＰＤ選択部５３は、該当するＦＰＤ３を選択する。ここで、推奨検出器サイズとは別のサイズのＦＰＤ３を選択しているので、確認ダイアログを表示するために、ステップＳ１８に進む。
【００８６】
（ステップＳ１４）優先順位が最も高いＦＰＤを選択
ＦＰＤ３の感度を考慮しない場合、かつ最も小さいＦＰＤ３が複数存在する場合には、第２ＦＰＤ選択部５４は、複数に該当するＦＰＤ３の中から入力部７で設定された優先順位が最も高いＦＰＤ３を選択する。ここで、推奨検出器サイズとは別のサイズのＦＰＤ３を選択しているので、確認ダイアログを表示するために、ステップＳ１８に進む。
【００８７】
（ステップＳ１５）感度が最も高いＦＰＤは複数存在するか？
ＦＰＤ３の感度を考慮する場合、かつ最も小さいＦＰＤ３が複数存在する場合には、複数に該当するＦＰＤ３の中から感度が最も高いＦＰＤ３が複数存在するか否かを判断する。感度が最も高いＦＰＤ３が１つであった場合（図４の「Ｎｏ」を参照）には、ステップＳ１６に進む。感度が最も高いＦＰＤ３が複数存在する場合（図４の「Ｙｅｓ」を参照）には、ステップＳ１７に進む。
【００８８】
（ステップＳ１６）該当するＦＰＤを選択
ＦＰＤ３の感度を考慮する場合、かつ感度が最も高いＦＰＤ３が１つであった場合には、第１ＦＰＤ選択部５３は、該当するＦＰＤ３を選択する。ここで、推奨検出器サイズとは別のサイズのＦＰＤ３を選択しているので、確認ダイアログを表示するために、ステップＳ１８に進む。
【００８９】
（ステップＳ１７）優先順位が最も高いＦＰＤを選択
ＦＰＤ３の感度を考慮する場合、かつ感度が最も高いＦＰＤ３が複数存在する場合には、第２ＦＰＤ選択部５４は、複数に該当するＦＰＤ３の中から入力部７で設定された優先順位が最も高いＦＰＤ３を選択する。ここで、推奨検出器サイズとは別のサイズのＦＰＤ３を選択しているので、確認ダイアログを表示するために、ステップＳ１８に進む。
【００９０】
（ステップＳ１８）確認ダイアログを表示
ステップＳ１３，ステップＳ１４，ステップＳ１６またはステップＳ１７で選択されたＦＰＤ３は、推奨検出器サイズとは別のサイズのＦＰＤ３であるので、確認ダイアログを表示部８に表示する。確認ダイアログの表示態様については、特に限定されないが、例えば「推奨検出器サイズのＦＰＤは使用できないので、別のサイズのＦＰＤを選択しました。現在選択中のＦＰＤを確認してください」という確認ダイアログを表示する。確認ダイアログの表示後、一連の検出器選択を終了する。この確認ダイアログに関しては必ず表示しないといけないものではなく、表示してもよいし、表示しなくてもよい。
【００９１】
次に、図５のフローチャートについて説明する。図４のステップＳ１１で、推奨検出器サイズより大きなサイズのＦＰＤ３が使用可能でない場合（「Ｎｏ」の場合）には、図５のステップＳ２１に進む。
【００９２】
（ステップＳ２１）サイズが最も大きいＦＰＤは複数存在するか？
推奨検出器サイズより小さなサイズのＦＰＤ３が使用可能とすると、該当するＦＰＤ３の中からサイズが最も大きいＦＰＤ３が複数存在するか否かを判断する。最も大きいＦＰＤ３が１つであった場合（図５の「Ｎｏ」を参照）には、ステップＳ２２に進む。最も大きいＦＰＤ３が複数存在する場合（図５の「Ｙｅｓ」を参照）には、ステップＳ２３またはステップＳ２４に進む。
【００９３】
ＦＰＤ３の感度を考慮しない場合、ステップＳ２３に進む。ＦＰＤ３の感度を考慮する場合、ステップＳ２４に進む。
【００９４】
（ステップＳ２２）該当するＦＰＤを選択
最も大きいＦＰＤ３が１つであった場合には、第１ＦＰＤ選択部５３は、該当するＦＰＤ３を選択する。ここで、推奨検出器サイズとは別のサイズのＦＰＤ３を選択しているので、確認ダイアログを表示するために、ステップＳ２７に進む。
【００９５】
（ステップＳ２３）優先順位が最も高いＦＰＤを選択
ＦＰＤ３の感度を考慮しない場合、かつ最も大きいＦＰＤ３が複数存在する場合には、第２ＦＰＤ選択部５４は、複数に該当するＦＰＤ３の中から入力部７で設定された優先順位が最も高いＦＰＤ３を選択する。ここで、推奨検出器サイズとは別のサイズのＦＰＤ３を選択しているので、確認ダイアログを表示するために、ステップＳ２７に進む。
【００９６】
（ステップＳ２４）感度が最も高いＦＰＤは複数存在するか？
ＦＰＤ３の感度を考慮する場合、かつ最も大きいＦＰＤ３が複数存在する場合には、複数に該当するＦＰＤ３の中から感度が最も高いＦＰＤ３が複数存在するか否かを判断する。感度が最も高いＦＰＤ３が１つであった場合（図５の「Ｎｏ」を参照）には、ステップＳ２５に進む。感度が最も高いＦＰＤ３が複数存在する場合（図５の「Ｙｅｓ」を参照）には、ステップＳ２６に進む。
【００９７】
（ステップＳ２５）該当するＦＰＤを選択
ＦＰＤ３の感度を考慮する場合、かつ感度が最も高いＦＰＤ３が１つであった場合には、第１ＦＰＤ選択部５３は、該当するＦＰＤ３を選択する。ここで、推奨検出器サイズとは別のサイズのＦＰＤ３を選択しているので、確認ダイアログを表示するために、ステップＳ２７に進む。
【００９８】
（ステップＳ２６）優先順位が最も高いＦＰＤを選択
ＦＰＤ３の感度を考慮する場合、かつ感度が最も高いＦＰＤ３が複数存在する場合には、第２ＦＰＤ選択部５４は、複数に該当するＦＰＤ３の中から入力部７で設定された優先順位が最も高いＦＰＤ３を選択する。ここで、推奨検出器サイズとは別のサイズのＦＰＤ３を選択しているので、確認ダイアログを表示するために、ステップＳ２７に進む。
【００９９】
（ステップＳ２７）確認ダイアログを表示
ステップＳ２２，ステップＳ２３，ステップＳ２５またはステップＳ２６で選択されたＦＰＤ３は、推奨検出器サイズとは別のサイズのＦＰＤ３であるので、確認ダイアログを表示部８に表示する。図４のステップＳ１８でも述べたように、確認ダイアログの表示態様については、特に限定されない。確認ダイアログの表示後、一連の検出器選択を終了する。図４のステップＳ１８でも述べたように、この確認ダイアログに関しては必ず表示しないといけないものではなく、表示してもよいし、表示しなくてもよい。
【０１００】
本実施例に係るＸ線撮影装置によれば、使用可能なＸ線検出器（本実施例ではＦＰＤ３）を検出するＸ線検出器検出手段（本実施例ではＦＰＤ検出部５１）と、検査オーダ情報（本実施例では撮影オーダ情報）に基づいて選択の対象となるＸ線検出器（ＦＰＤ３）を選定するＸ線検出器選定手段（本実施例ではＦＰＤ選定部５２）とを備えている。そして、当該Ｘ線検出器検出手段（ＦＰＤ検出部５１）にて検出されたＸ線検出器（ＦＰＤ３）のうち検査オーダ情報（撮影オーダ情報）に基づいてＸ線検出器選定手段（ＦＰＤ選定部５２）によってＸ線検出器（ＦＰＤ３）を選択する。このように、使用可能なＸ線検出器（ＦＰＤ３）のうち検査オーダ情報（撮影オーダ情報）に基づいて該当するＸ線検出器（ＦＰＤ３）を選択するので、検査（本実施例では撮影）を実施するタイミングで使用可能なＸ線検出器（ＦＰＤ３）が動的に変化する（本実施例では回診用のＸ線撮影装置が移動式台車１によって移動して、ＦＰＤ３を共有する周辺のＸ線撮影装置が動的に変化する）可能性がある場合において、使用可能なＸ線検出器（ＦＰＤ３）の中から（撮影オーダの）目的に合ったＸ線検出器ＦＰＤ３を自動的に選択することができる。これによって、操作者の検査操作時（本実施例では撮影操作時）の負担を軽減することができる。
【０１０１】
ここで、回診用のＸ線撮影装置が移動式台車１によって移動して、Ｘ線検出器（ＦＰＤ３）を共有する周辺のＸ線撮影装置が動的に変化する場合としては、例えば以下のようなケースがある。上述したように、装置Ａ，Ｂのような複数の装置で共有して使用する、あるＸ線検出器（ＦＰＤ３）があった場合に、そのＸ線検出器（ＦＰＤ３）を「装置Ａで使用可能な状態」から「装置Ｂで使用可能な状態」に変更したときに、以下のように動的に変化する。すなわち、装置Ａからは検出器リスト情報から該当するＸ線検出器（ＦＰＤ３）を削除することにより使用可能なＸ線検出器（ＦＰＤ３）の数が減ることになり、装置Ｂとしては該当するＸ線検出器（ＦＰＤ３）を認証させることにより使用可能なＸ線検出器（ＦＰＤ３）の数が増えることになる。
【０１０２】
本実施例では、検査オーダ情報（撮影オーダ情報）は検査に必要なＸ線検出器サイズ（推奨検出器サイズ）であって、Ｘ線検出器選定手段（ＦＰＤ選定部５２）は、当該推奨検出器サイズに基づいてＸ線検出器（ＦＰＤ３）を選定する。推奨検出器サイズに合致した同じサイズのＸ線検出器（ＦＰＤ３）が使用可能である場合には、当該同じサイズのＸ線検出器（ＦＰＤ３）を選択することができる。特に、図３のステップＳ５で述べたように、当該同じサイズのＸ線検出器（ＦＰＤ３）が１つであった場合には、ステップＳ６のように該当するＸ線検出器（ＦＰＤ３）を選択する。
【０１０３】
また、推奨検出器サイズや推奨検出器サイズ以外の別のサイズも含めて、Ｘ線検出器選定手段（ＦＰＤ選定部５２）で選定されたＸ線検出器（ＦＰＤ３）のうち使用可能なＸ線検出器（ＦＰＤ３）が１つであった場合には、図３のステップＳ６やステップＳ９、図４のステップＳ１３やステップＳ１６、図５のステップＳ２２やステップＳ２５のように、該当するＸ線検出器（ＦＰＤ３）を選択する第１Ｘ線検出器選択手段（本実施例では第１ＦＰＤ選択部５３）を備えている。
【０１０４】
また、本実施例では、推奨検出器サイズや推奨検出器サイズ以外の別のサイズも含めて、使用可能なＸ線検出器（ＦＰＤ３）が複数存在する場合には、Ｘ線検出器（ＦＰＤ３）を使用する優先順位を操作者が手動で設定して、当該優先順位に応じてＸ線検出器（ＦＰＤ３）を自動的に選択するようにしている。すなわち、Ｘ線検出器（ＦＰＤ３）を使用する優先順位を設定する優先順位設定手段（本実施例では入力部７）と、当該優先順位設定手段（入力部７）で設定された優先順位に応じてＸ線検出器（ＦＰＤ３）を選択する第２Ｘ線検出器選択手段（本実施例では第２ＦＰＤ選択部５４）とを備えている。この場合には、Ｘ線検出器検出手段（ＦＰＤ検出部５１）で検出されたＸ線検出器（ＦＰＤ３）のうち当該同じサイズや別のサイズも含めてＸ線検出器（ＦＰＤ３）が複数存在する場合に有用であり、第２Ｘ線検出器選択手段（第２ＦＰＤ選択部５４）は、複数に該当するＸ線検出器（ＦＰＤ３）の中から優先順位設定手段（入力部７）で設定された優先順位が最も高いＸ線検出器（ＦＰＤ３）を、図３のステップＳ７やステップＳ１０、図４のステップＳ１４やステップＳ１７、図５のステップＳ２３やステップＳ２６のように選択する。
【０１０５】
本実施例のように検査オーダ情報（撮影オーダ情報）が推奨検出器サイズである場合において、推奨検出器サイズに合致した同じサイズのＸ線検出器（ＦＰＤ３）が使用可能であって、図３のステップＳ５で述べたように、当該同じサイズのＸ線検出器（ＦＰＤ３）が複数存在する場合には、ステップＳ７やステップＳ１０のように複数に該当する同じサイズのＸ線検出器（ＦＰＤ３）の中から優先順位が最も高いＸ線検出器（ＦＰＤ３）を選択する。
【０１０６】
本実施例のように検査オーダ情報（撮影オーダ情報）が推奨検出器サイズである場合において、上述したような選択を行う第３Ｘ線検出器選択手段（本実施例では第３ＦＰＤ選択部５５）を備えている。すなわち、推奨検出器サイズと同じサイズのＸ線検出器（ＦＰＤ３）が使用可能である場合（図３のステップＳ４で「Ｙｅｓ」の場合）には、第３Ｘ線検出器選択手段（第３ＦＰＤ選択部５５）は、当該同じサイズのＸ線検出器（ＦＰＤ３）を選択する。一方、推奨検出器サイズと同じサイズのＸ線検出器（ＦＰＤ３）が使用可能でなく（図３のステップＳ４での「Ｎｏ」を参照）、かつ推奨検出器サイズよりも大きなサイズのＸ線検出器（ＦＰＤ３）が使用可能である場合（図４のステップＳ１１で「Ｙｅｓ」の場合）には、第３Ｘ線検出器選択手段（第３ＦＰＤ選択部５５）は、該当する大きなサイズのＸ線検出器（ＦＰＤ３）の中から最も小さいサイズのＸ線検出器（ＦＰＤ３）を選択する。推奨検出器サイズと同じサイズのＸ線検出器（ＦＰＤ３）が使用可能でなく、かつ推奨検出器サイズよりも大きなサイズのＸ線検出器（ＦＰＤ３）が使用可能である場合には、「発明が解決しようとする課題」や「課題を解決するための手段」の欄でも述べたように、推奨検出器サイズよりも大きなサイズのＸ線検出器（ＦＰＤ３）を選択すれば、検査（本実施例では撮影）に必要なＸ線検出器（ＦＰＤ３）の範囲（撮影部位の領域の範囲）をカバーすることができる。一方で、極力小型のＸ線検出器を利用したいというニーズを考慮すれば、該当する大きなサイズのＸ線検出器（ＦＰＤ３）の中から最も小さいサイズのＸ線検出器（ＦＰＤ３）を選択することで、上記ニーズに応えつつ検査（撮影）に必要なＸ線検出器の範囲（撮影部位の領域の範囲）をカバーすることができる。
【０１０７】
さらに、推奨検出器サイズと同じサイズのＸ線検出器（ＦＰＤ３）が使用可能でなく（図３のステップＳ４での「Ｎｏ」を参照）、推奨検出器サイズよりも大きなサイズのＸ線検出器（ＦＰＤ３）が使用可能でなく（図４のステップＳ１１での「Ｎｏ」を参照）、かつ推奨検出器サイズよりも小さなサイズのＸ線検出器（ＦＰＤ３）が使用可能である場合には、第３Ｘ線検出器選択手段（第３ＦＰＤ選択部５５）は、該当する小さなサイズのＸ線検出器（ＦＰＤ３）の中から最もサイズのＸ線検出器（ＦＰＤ３）を選択する。これによって、推奨検出器サイズと同じサイズのＸ線検出器（ＦＰＤ３）が使用可能でなく、かつ推奨検出器サイズよりも大きなサイズのＸ線検出器（ＦＰＤ３）が使用可能でない場合であっても、該当する（推奨検出器サイズよりも）小さなサイズのＸ線検出器（ＦＰＤ３）の中から最も大きいサイズのＸ線検出器（ＦＰＤ３）を、検査に必要なＸ線検出器サイズ（推奨検出器サイズ）に極力に近いサイズのＸ線検出器（ＦＰＤ３）として使用することができる。
【０１０８】
さらに、本実施例では、検査オーダ情報（撮影オーダ情報）は、上述した推奨検出器サイズの他に、Ｘ線検出器（ＦＰＤ３）の感度であって、Ｘ線検出器検出手段（ＦＰＤ検出部５１）で検出されたＸ線検出器（ＦＰＤ３）のうちＸ線検出器選定手段（ＦＰＤ選定部５２）は、推奨検出器サイズに基づいてＸ線検出器（ＦＰＤ３）を選定し使用可能なＸ線検出器（ＦＰＤ３）に基づいて、該当するＸ線検出器（ＦＰＤ３）の中から感度が最も高いＸ線検出器（ＦＰＤ３）を選択する。本実施例のようにＸ線検出器（ＦＰＤ３）の感度に基づいてＸ線検出器（ＦＰＤ３）を自動的に選択する場合には、「使用可能なＦＰＤ３」→「推奨検出器サイズ」→「ＦＰＤ３の感度」→「感度が最も高いＦＰＤ３」という順序でＸ線検出器（ＦＰＤ３）を自動的に選択することになる。これによって、推奨検出器サイズに基づいて選定されたＸ線検出器（ＦＰＤ３）のうち使用可能な感度が最も高いＸ線検出器（ＦＰＤ３）を使用することができ、感度が高いほどＸ線の照射線量を少なくすることができ、被検体（患者）の被曝低減につながる。
【０１０９】
Ｘ線検出器（ＦＰＤ３）の感度に基づいてＸ線検出器（ＦＰＤ３）を自動的に選択する場合においても、推奨検出器サイズや推奨検出器サイズ以外の別のサイズも含めて、使用可能な感度が最も高いＸ線検出器（ＦＰＤ３）が１つであった場合には、第１Ｘ線検出器選択手段（第１ＦＰＤ選択部５３）は、図３のステップＳ９、図４のステップＳ１６、図５のステップＳ２５のように、該当するＸ線検出器（ＦＰＤ３）を選択する。
【０１１０】
また、Ｘ線検出器（ＦＰＤ３）の感度に基づいてＸ線検出器（ＦＰＤ３）を自動的に選択する場合においても、推奨検出器サイズや推奨検出器サイズ以外の別のサイズも含めて、使用可能な感度が最も高いＸ線検出器（ＦＰＤ３）が複数存在する場合には、上述したようにＸ線検出器（ＦＰＤ３）を使用する優先順位を操作者が手動で設定して、当該優先順位に応じてＸ線検出器（ＦＰＤ３）を自動的に選択するようにしている。すなわち、同様に、優先順位設定手段（入力部７）で、Ｘ線検出器（ＦＰＤ３）を使用する優先順位を設定し、第２Ｘ線検出器選択手段（第２ＦＰＤ選択部５４）は、当該優先順位設定手段（入力部７）で設定された優先順位に応じてＸ線検出器（ＦＰＤ３）を選択する。この場合には、図３のステップＳ８や図４のステップＳ１５や図５のステップＳ２４のように、使用可能な感度が最も高いＸ線検出器（ＦＰＤ３）が複数存在する場合に有用であり、第２Ｘ線検出器選択手段（第２ＦＰＤ選択部５４）は、複数に該当するＸ線検出器（ＦＰＤ３）の中から優先順位設定手段（入力部７）で設定された優先順位が最も高いＸ線検出器（ＦＰＤ３）を、図３のステップＳ１０、図４のステップＳ１７、図５のステップＳ２６のように選択する。
【０１１１】
Ｘ線検出器（ＦＰＤ３）の感度に基づいてＸ線検出器（ＦＰＤ３）を自動的に選択する場合においても、第３Ｘ線検出器選択手段（第３ＦＰＤ選択部５５）は上述したような選択を行う。すなわち、推奨検出器サイズと同じサイズのＸ線検出器（ＦＰＤ３）が使用可能である場合（図３のステップＳ４で「Ｙｅｓ」の場合）には、第３Ｘ線検出器選択手段（第３ＦＰＤ選択部５５）は、当該同じサイズのＸ線検出器（ＦＰＤ３）を選択する。一方、推奨検出器サイズと同じサイズのＸ線検出器（ＦＰＤ３）が使用可能でなく（図３のステップＳ４での「Ｎｏ」を参照）、かつ推奨検出器サイズよりも大きなサイズのＸ線検出器（ＦＰＤ３）が使用可能である場合（図４のステップＳ１１で「Ｙｅｓ」の場合）には、第３Ｘ線検出器選択手段（第３ＦＰＤ選択部５５）は、該当する大きなサイズのＸ線検出器（ＦＰＤ３）の中から最も小さいサイズのＸ線検出器（ＦＰＤ３）を選択する。さらに、当該第３Ｘ線検出器選択手段（第３ＦＰＤ選択部５５）で選択された最も小さいサイズのＸ線検出器（ＦＰＤ３）のうち使用可能なＸ線検出器（ＦＰＤ３）に基づいて、該当するＸ線検出器（ＦＰＤ３）の中から感度が最も高いＸ線検出器（ＦＰＤ３）を選択する。該当する大きなサイズのＸ線検出器（ＦＰＤ３）の中から最も小さいサイズのＸ線検出器（ＦＰＤ３）を選択することで、極力小型のＸ線検出器を利用したいというニーズに応えつつ検査（撮影）に必要なＸ線検出器の範囲（撮影部位の領域の範囲）をカバーすることができる。さらに、複数に該当する同じサイズのＸ線検出器（ＦＰＤ３）の中から感度が最も高いＸ線検出器（ＦＰＤ３）を選択することで、上記ニーズに応えつつ使用可能な感度が最も高いＸ線検出器（ＦＰＤ３）を使用することができ、感度が高いほどＸ線の照射線量を少なくすることができ、被検体（患者）の被曝低減につながる。
【０１１２】
Ｘ線検出器（ＦＰＤ３）の感度に基づいてＸ線検出器（ＦＰＤ３）を自動的に選択する場合においても、第３Ｘ線検出器選択手段（第３ＦＰＤ選択部５５）は上述したような選択を行う。すなわち、推奨検出器サイズと同じサイズのＸ線検出器（ＦＰＤ３）が使用可能でなく（図３のステップＳ４での「Ｎｏ」を参照）、推奨検出器サイズよりも大きなサイズのＸ線検出器（ＦＰＤ３）が使用可能でなく（図４のステップＳ１１での「Ｎｏ」を参照）、かつ推奨検出器サイズよりも小さなサイズのＸ線検出器（ＦＰＤ３）が使用可能である場合には、第３Ｘ線検出器選択手段（第３ＦＰＤ選択部５５）は、該当する小さなサイズのＸ線検出器（ＦＰＤ３）の中から最もサイズのＸ線検出器（ＦＰＤ３）を選択する。そして、当該第３Ｘ線検出器選択手段（第３ＦＰＤ選択部５５）で選択された最も大きいサイズのＸ線検出器（ＦＰＤ３）のうち使用可能なＸ線検出器（ＦＰＤ３）に基づいて、該当するＸ線検出器（ＦＰＤ３）の中から感度が最も高いＸ線検出器（ＦＰＤ３）を選択する。これによって、推奨検出器サイズと同じサイズのＸ線検出器（ＦＰＤ３）が使用可能でなく、かつ推奨検出器サイズよりも大きなサイズのＸ線検出器（ＦＰＤ３）が使用可能でない場合であっても、該当する（推奨検出器サイズよりも）小さなサイズのＸ線検出器（ＦＰＤ３）の中から最も大きいサイズのＸ線検出器（ＦＰＤ３）を、検査に必要なＸ線検出器サイズ（推奨検出器サイズ）に極力に近いサイズのＸ線検出器（ＦＰＤ３）として使用することができる。さらに、使用可能な感度が最も高いＸ線検出器（ＦＰＤ３）を使用することができ、感度が高いほどＸ線の照射線量を少なくすることができ、被検体（患者）の被曝低減につながる。
【０１１３】
本実施例では、移動式台車を有した回診用のＸ線撮影装置に適用することで、回診用のＸ線撮影装置が移動式台車１によって移動して、ＦＰＤ３を共有する周辺のＸ線撮影装置が動的に変化する場合においても、使用可能なＸ線検出器（ＦＰＤ３）の中から（撮影オーダの）目的に合ったＸ線検出器（ＦＰＤ３）を自動的に選択することができる。
【０１１４】
さらに、回診用のＸ線撮影装置では一般撮影装置のようにＸ線検出器（ＦＰＤ３）をブッキー装置に組み込んだ状態での撮影がない。もしブッキー装置に組み込んだ状態での撮影であれば、撮影に使用するＸ線検出器（ＦＰＤ３）として、そのブッキー装置内のＸ線検出器（ＦＰＤ３）を自動的に選択すればよい。そうでない場合（本実施例のように回診用のＸ線撮影装置を用いた撮影の場合）には、撮影に使用するＸ線検出器（ＦＰＤ３）を何らかの方法で指定する必要がある。このことから、一般撮影装置での撮影に比べて回診用のＸ線撮影装置では撮影に使用するＸ線検出器（ＦＰＤ３）を選択しないといけないケースが多い。ブッキー装置に組み込んだ状態での撮影（ブッキー撮影）の場合でブッキー装置内のＸ線検出器（ＦＰＤ３）を勝手に選択したとしても、それが不適切な選択結果である可能性は低いが、ブッキー装置のような検出器選択のための決定的な情報がない場合、他の情報でＸ線検出器（ＦＰＤ３）を選択する必要がある。しかも、本実施例の場合、今回対象にしているのは使用可能なＸ線検出器（ＦＰＤ３）がいつも同じとは限らない条件下における撮影であるので、何らかの方法でＸ線検出器（ＦＰＤ３）を選択したとしてもそれが不適切な選択結果である可能性が高い。以上をまとめると、ブッキー装置に組み込んだ状態での撮影の場合には、撮影に使用するＸ線検出器（ＦＰＤ３）の制約がある分だけ、Ｘ線検出器（ＦＰＤ３）を不適切に選択する可能性が低い。それに対して、回診用のＸ線撮影装置に代表される、ブッキー装置に組み込まない撮影の場合には、撮影に使用するＸ線検出器（ＦＰＤ３）の制約がない分、Ｘ線検出器（ＦＰＤ３）を不適切に選択する可能性が高い。
【０１１５】
そこで、本実施例では、移動式台車を有した回診用のＸ線撮影装置に適用することで、かかる制約がない状況であっても、使用可能なＸ線検出器（ＦＰＤ３）の中から（撮影オーダの）目的に合ったＸ線検出器（ＦＰＤ３）を自動的に選択することができる。このように、本発明は本実施例のような回診用のＸ線撮影装置に有用である。
【０１１６】
なお、本実施例では、複数の回診用のＸ線撮影装置で同一のＸ線検出器（ＦＰＤ３）を共有するケースについて述べたが、Ｘ線検出器（ＦＰＤ３）をブッキー装置に組み込んだ状態での撮影でなければ、Ｘ線検出器（ＦＰＤ３）を共有する周辺のＸ線撮影装置が動的に変化するケースが起こり得ることに留意されたい。例えば、回診用のＸ線撮影装置と据置型のＸ線撮影装置とで同一のＸ線検出器（ＦＰＤ３）を共有するケースや、複数の据置型のＸ線撮影装置で同一のＸ線検出器（ＦＰＤ３）を共有するケースでも、Ｘ線検出器（ＦＰＤ３）を共有する周辺のＸ線撮影装置が動的に変化するケースが起こり得る。ただし、本実施例のように回診用のＸ線撮影装置では装置自体が移動することで、Ｘ線検出器（ＦＰＤ３）を共有する周辺のＸ線撮影装置が動的に変化するケースが顕著に発生し得る。例えば、装置・Ｘ線検出器（ＦＰＤ３）の通信の設定は「通信できる設定」のままであるが、装置が移動することでＸ線検出器（ＦＰＤ３）との距離が離れた結果、無線の電波を検出することができなくなり、結果的に使用可能なＸ線検出器（ＦＰＤ３）とは見なさないようになるケースも考えられる。このようなケースが起こったとしても、電波の受信状況等に左右されずに、使用可能なＸ線検出器（ＦＰＤ３）の中から（撮影オーダの）目的に合ったＸ線検出器（ＦＰＤ３）を自動的に選択することができる。
【０１１７】
なお、本実施例では、使用可能にしたＸ線検出器（ＦＰＤ３）を使用可能でない状態にする方法として、操作者が明示的に使用不可能な設定に変更する方法（本実施例では認証操作による方法）を挙げたが、これに限定されない。本実施例での認証操作でも述べたが、Ｘ線検出器が無線タイプである場合に、例えば使用可能なＸ線検出器（ＦＰＤ３）を電波圏外へ移動させたことによって、「通信できなくなったこと」をトリガーとして使用可能なＸ線検出器（ＦＰＤ３）を使用不可能なＸ線検出器（ＦＰＤ３）として扱ってもよい。このような動作を行う場合、逆に装置・Ｘ線検出器（ＦＰＤ３）間の距離が近づいて電波を検出することができるようになったことをトリガーとして使用不可能なＸ線検出器（ＦＰＤ３）を使用可能なＸ線検出器（ＦＰＤ３）として扱うようにしてもよい。
【０１１８】
ただし、無線で動作する以上、Ｘ線検出器（ＦＰＤ３）がどの装置に関連付いているのかが不明になるケースを考慮すると、「電波を検出することが可能な距離に装置およびＸ線検出器が位置する」という条件のみで、Ｘ線検出器（ＦＰＤ３）が使用可能であると設定しないようにするのが好ましい。つまり、ある装置にＸ線検出器（ＦＰＤ３）が関連付いていることが前提で、上述した装置・Ｘ線検出器（ＦＰＤ３）間の距離をトリガーとして、当該装置から見て当該Ｘ線検出器（ＦＰＤ３）が使用可能あるいは使用可能でないと設定する。例えば、装置Ａと検出器ａとが関連付いていて、関連付けがなされていない装置Ｂが検出器ａの近傍に存在する状態で装置Ａを検出器ａから距離を離して移動させると、装置Ａは検出器ａを使用不可能と見なしてよい。ただし、検出器ａが装置Ｂと接続するようになるわけではなく、検出器ａは装置Ａと接続しようとし続ける動きとなる。つまり、関連付けがなされていない装置Ｂからしてみれば検出器ａは使用不可能な状態のままとなる。その後、装置Ａを検出器ａに近づけるように移動させると装置Ａが検出器ａを使用可能であると見なす。このように、装置・Ｘ線検出器（ＦＰＤ３）間の距離をトリガーとする場合には、距離が遠ざかるときには当該Ｘ線検出器（ＦＰＤ３）を使用可能でないと設定してもよいが、距離が近づくときには関連付けがなされた装置のみ当該Ｘ線検出器（ＦＰＤ３）が使用可能であると設定するようにする。
【０１１９】
なお、本実施例に係る制御方法では、使用可能なＸ線検出器（ＦＰＤ３）を検出するＸ線検出器検出工程（ステップＳ２）と、検査オーダ情報（撮影オーダ情報）に基づいて選択の対象となるＸ線検出器（ＦＰＤ３）を選定するＸ線検出器選定工程（ステップＳ３）とを備え、当該Ｘ線検出器検出工程（ステップＳ２）で検出されたＸ線検出器（ＦＰＤ３）のうちＸ線検出器選定工程（ステップＳ３）で選定されたＸ線検出器（ＦＰＤ３）を選択している。
【０１２０】
さらに、図１に示す制御プログラム６Ａでは、使用可能なＸ線検出器（ＦＰＤ３）を検出するＸ線検出器検出工程（ステップＳ２）と、検査オーダ情報（撮影オーダ情報）に基づいて選択の対象となるＸ線検出器（ＦＰＤ３）を選定するＸ線検出器選定工程（ステップＳ３）とを備え、当該Ｘ線検出器検出工程（ステップＳ２）で検出されたＸ線検出器（ＦＰＤ３）のうちＸ線検出器選定工程（ステップＳ３）で選定されたＸ線検出器（ＦＰＤ３）を選択し、これらの工程での処理をコンピュータ（本実施例ではコントローラ５のＣＰＵ）に実行させている。
【０１２１】
また、本実施例に係るコントローラ５、制御方法および制御プログラム６Ａによれば、本実施例に係るＸ線撮影装置と同様に、（ＦＰＤ検出部５１にて検出された）使用可能なＸ線検出器（ＦＰＤ３）のうち検査オーダ情報（撮影オーダ情報）に基づいて該当するＸ線検出器（ＦＰＤ３）を選択するので、検査（撮影）を実施するタイミングで使用可能なＸ線検出器（ＦＰＤ３）が動的に変化する可能性がある場合において、使用可能なＸ線検出器（ＦＰＤ３）の中から（撮影オーダの）目的に合ったＸ線検出器（ＦＰＤ３）を自動的に選択することができる。
【０１２２】
この発明は、上記実施形態に限られることはなく、下記のように変形実施することができる。
【０１２３】
（１）上述した実施例では、Ｘ線装置における検査として撮影を例に採って説明したが、撮影よりも弱い線量のＸ線を照射しながらＸ線画像をリアルタイムに表示する透視に適用してもよい。また、トモシンセシス(Tomosynthesis)やＸ線ＣＴ(Computed Tomography)などの断層撮影や、Ｘ線画像を被検体の長手方向に連結して長尺状の画像を取得する長尺撮影に適用してもよい。
【０１２４】
（２）上述した実施例では、Ｘ線装置として移動式台車を有した回診用のＸ線撮影装置を例に採って説明したが、据置型のＸ線装置であってもよい。据置型のＸ線装置としては、例えば床面や天井面に固定設置されて臥位状態で検査を行うＸ線装置や、壁面に固定設置されて立位姿勢で検査を行うＸ線装置などがある。
【０１２５】
（３）Ｘ線検出器を共有するＸ線装置の組み合わせについては、特に限定されない。上述した実施例のように回診用のＸ線装置同士の組み合わせであってもよいし、回診用のＸ線装置と据置型のＸ線装置との組み合わせであってもよいし、据置型のＸ線装置同士の組み合わせであってもよい。
【０１２６】
（４）上述した実施例では、Ｘ線検出器として、コンソールとの通信が可能なデジタルＸ線検出器であるフラットパネル型Ｘ線検出器（ＦＰＤ）を用いたが、Ｘ線検出器の種類については特に限定されない。イメージインテンシファイア（Ｉ．Ｉ．）やＸ線フィルムなどに例示されるように、アナログＸ線検出器であってもよい。
【０１２７】
（５）上述した実施例では、検査オーダ情報（実施例では撮影オーダ情報）は、推奨検出器サイズやＸ線検出器（実施例ではＦＰＤ３）の感度であって、Ｘ線検出器選定手段（実施例ではＦＰＤ選定部５２）は推奨検出器サイズに基づいてＸ線検出器（ＦＰＤ３）を選定したが、検査オーダ情報（撮影オーダ情報）は、推奨検出器サイズやＸ線検出器（ＦＰＤ３）の感度に限定されない。例えば、検査オーダ情報（撮影オーダ情報）は、被検体・関心領域のサイズや撮影部位であってもよい。撮影部位が四肢や胸部などのようにバラエティーに富んでいる場合には、四肢に関連付けられた四肢撮影用のＸ線検出器や胸部に関連付けられた胸部撮影用のＸ線検出器をそれぞれ用意して、選択された撮影部位に基づいてＸ線検出器を選定してもよい。また、特許文献２：特開２００２−１９１５８６号公報のように、検査オーダ情報（撮影オーダ情報）が空間分解能の場合には、空間分解能毎に関連付けられたＸ線検出器をそれぞれ用意して、高い空間分解能を必要としない透視の場合には低い空間分解能を有したＸ線検出器を選定して、高い空間分解能を必要とする撮影の場合には高い空間分解能を有したＸ線検出器を選定する。
【０１２８】
（６）上述した実施例では、優先順位を設定する際に、推奨検出器サイズや感度以外の撮影オーダ情報（例えば、被検体・関心領域のサイズや撮影部位）に基づいて行ったが、個々の推奨検出器サイズに基づいて優先順位を設定してもよいし、感度に基づいて優先順位を設定してもよい。感度に基づいて優先順位を設定する場合には、感度が最も高いＸ線検出器を最も高い優先順位に設定して、感度が低くなるほどＸ線検出器を低い順位に設定する。これによって、使用可能なＸ線検出器の中から感度が高いＸ線検出器を優先的に使用することができ、感度が高いほどＸ線の照射線量を少なくすることができ、被検体（患者）の被曝低減につながる。特に、使用可能な同じサイズのＸ線検出器が複数存在する場合において、複数に該当する同じサイズのＸ線検出器の中から優先順位が最も高いＸ線検出器を選択する場合に有用であり、感度に基づいて優先順位を設定する場合には、「使用可能なＸ線検出器」→「Ｘ線検出器サイズ（推奨検出器サイズ）」→「Ｘ線検出器の感度」→「優先順位」という順序でＸ線検出器を選択することになる。
【０１２９】
（７）上述した実施例では、Ｘ線検出器選定手段（実施例ではＦＰＤ選定部５２）による選定や使用可能なＸ線検出器（実施例ではＦＰＤ３）に基づくＸ線検出器（実施例ではＦＰＤ３）の選択を優先的に行ったが、当該選定や当該選択よりも、下記の変形例（６）〜（８）のように優先的に選定・選択するようにしてもよい。
【０１３０】
（８）例えば、使用可能でない状態であったＸ線検出器を使用可能な状態に変更設定する第１変更設定手段を備える。第１変更設定手段（図６では第１変更設定部５６）としては、上述した実施例で述べた認証操作を行う通信手段の通信ポートおよびＣＰＵで構成する。上述した実施例での認証操作でも述べたが、当該第１変更設定手段（第１変更設定部５６）で使用可能な状態に変更設定された当該Ｘ線検出器を最優先に選択する。例えば、Ｘ線検出器を複数のＸ線装置で共有する場合において、一方のＸ線装置（装置Ａ）でＸ線検出器を使用することで、他方のＸ線装置（装置Ｂ）では当該Ｘ線検出器が使用可能でなくなる。他方のＸ線装置（装置Ｂ）で当該Ｘ線検出器を使用したい場合においては、第１変更設定手段（第１変更設定部５６）で使用可能な状態に変更設定することで、他方のＸ線装置（装置Ｂ）において当該Ｘ線検出器を最優先に選択するようにする。したがって、図６では、第１変更設定部５６は第１〜第３ＦＰＤ選択部５３〜５５に接続されており、第１変更設定手段（第１変更設定部５６）で使用可能な状態に変更設定した場合には、第１〜第３ＦＰＤ選択部５３〜５５によるＸ線検出器の選択を行わずに、第１変更設定手段（第１変更設定部５６）で使用可能な状態に変更設定されたＸ線検出器を最優先に自動的に選択するようにする。認証操作のタイミングとしては、上述した実施例のような検査前でなくてもよい。例えば、検査中に認証操作を行うことも可能である。つまり、検査中のタイミングで装置に対して使用可能になっていないＸ線検出器を認証させるということは、その装置でそのＸ線検出器を今使用したいという意思表示であるという解釈として、認証されたＸ線検出器を最優先で自動的に選択するようにすることも可能である。
【０１３１】
（９）逆に、使用可能なＸ線検出器として選択されていた当該Ｘ線検出器を使用可能でない状態に変更設定する第２変更設定手段を備えてもよい。第２変更設定手段としては、図７に示すように入力部７で構成する。当該第２変更設定手段（入力部７）で使用可能でない状態に変更設定されると、Ｘ線検出器選定手段（図７ではＦＰＤ選定部５２）による選定を再度に行いＸ線検出器の選択を再度に行うようにする。そのために、図７では、入力部７はＦＰＤ選定部５２や第１〜第３ＦＰＤ選択部５３〜５５に接続されており、第２変更設定手段（入力部７）で用可能でない状態に変更設定されると、ＦＰＤ選定部５２による選定や第１〜第３ＦＰＤ選択部５３〜５５によるＸ線検出器の選択を再度に行うことで、再選択を行うようにする。第２変更設定手段は入力部７でなくてもよい。例えば、上述した実施例での認証操作でも述べたが、Ｘ線検出器が無線タイプである場合に、使用可能なＸ線検出器を電波圏外へ移動させた場合、認証済であっても使用可能な検出器リスト情報から削除することで、使用可能なＸ線検出器として選択されていた当該Ｘ線検出器を使用可能でない状態に自動的に変更設定してもよい。この場合、無線ＬＡＮの通信ポートおよびＣＰＵで第２変更設定手段を構成する。
【０１３２】
（１０）また、例えば、使用可能なＸ線検出器のうち１つのＸ線検出器を最優先に選択するようにする。例えば、既に検査を行った検査オーダに対して写損操作やオーダの複製操作などを行い、新たに検査オーダが追加された場合には、再撮影を行うべく直前に使用されたＸ線検出器や追加された検査オーダの対象となるＸ線検出器が使用可能な状態である場合には、当該Ｘ線検出器を最優先に選択することにより、当該Ｘ線検出器を使用してもよい。最優先に選択されるＸ線検出器については、使用可能な状態であれば、上記の例に限定されずに任意であって、使用可能なＸ線検出器のうち１つのＸ線検出器を操作者が任意に最優先に選択することができる。
【０１３３】
（１１）上述した実施例では、Ｘ線検出器選定手段（実施例ではＦＰＤ選定部５２）で選定されたＸ線検出器（実施例ではＦＰＤ３）のうち使用可能なＸ線検出器（ＦＰＤ３）が１つであった場合には、該当するＸ線検出器を選択する第１Ｘ線検出器選択手段（実施例では第１ＦＰＤ選択部５３）を備えたが、使用可能なＸ線検出器（ＦＰＤ３）が必ず複数存在する場合には、第１Ｘ線検出器選択手段（第１ＦＰＤ選択部５３）を備えずに第２Ｘ線検出器選択手段（実施例では第２ＦＰＤ選択部５４）を備えてもよい。
【０１３４】
（１２）上述した実施例では、Ｘ線検出器選定手段（実施例ではＦＰＤ選定部５２）で選定されたＸ線検出器（実施例ではＦＰＤ３）のうち使用可能なＸ線検出器（ＦＰＤ３）が複数存在する場合には、Ｘ線検出器を使用する優先順位を設定する優先順位設定手段（実施例では入力部７）を備えたが、必ずしも優先順位を設定する必要はない。
【０１３５】
（１３）上述した実施例では、検査オーダ情報（撮影オーダ情報）が推奨検出器サイズである場合において、第３Ｘ線検出器選択手段（実施例では第３ＦＰＤ選択部５５）を備えたが、推奨検出器サイズが一律であって、感度や空間分解能等がバラエティーに富んだＸ線検出器（実施例ではＦＰＤ３）を使用する場合には、必ずしも第３Ｘ線検出器選択手段（第３ＦＰＤ選択部５５）を備える必要はない。すなわち、推奨検出器サイズが一律である場合には、図４や図５のフローチャートを必ずしも行う必要はない。
【０１３６】
（１４）上述した実施例では、感度を考慮する場合に感度が最も高いＸ線検出器（実施例ではＦＰＤ３）を選択したが、感度を考慮しない場合、あるいは感度が一律のＸ線検出器（ＦＰＤ３）を使用する場合には、必ずしも感度が最も高いＸ線検出器（ＦＰＤ３）を選択する必要はない。
【符号の説明】
【０１３７】
２  …  Ｘ線管
３  …  フラットパネル型Ｘ線検出器（ＦＰＤ）
５  …  コントローラ
６Ａ  …  制御プログラム
７  …  入力部
５１  …  ＦＰＤ検出部
５２  …  ＦＰＤ選定部
５３  …  第１ＦＰＤ選択部
５４  …  第２ＦＰＤ選択部
５５  …  第３ＦＰＤ選択部
５６  …  第１変更設定部
【図１】
0006642288.tif 000002
【図２】
0006642288.tif 000003
【図３】
0006642288.tif 000004
【図４】
0006642288.tif 000005
【図５】
0006642288.tif 000006
【図６】
0006642288.tif 000007
【図７】
0006642288.tif 000008